(57)【要約】ワイヤレス通信のための方法、システム、およびデバイスが説明される。方法、システム、およびデバイスは、第１の基本サービスセット（ＢＳＳ）に関連するチャネルを独占しているクライアントデバイスを決定または識別することを提供する。一旦識別されると、第２のＢＳＳが動的に作り出され、第１のＢＳＳに関してスロットル調整されたパラメータを用いて構成される。クライアントデバイスは、第２のＢＳＳにステアリングされ、デバイスステータスの変化まで、第１のＢＳＳに再関連付けを行うことを妨げられる。
2019522438.tif 000002
【特許請求の範囲】
【請求項１】
ワイヤレス通信のための方法であって、
第１のクライアントデバイスが第１の基本サービスセット（ＢＳＳ）識別子（ＢＳＳＩＤ）に関連する第１のＢＳＳのチャネルを独占していることを決定することと、
前記決定に少なくとも部分的に基づいて、前記第１のクライアントデバイスを、前記第１のＢＳＳに関してスロットル調整された第２のＢＳＳにステアリングすることと、前記第２のＢＳＳが、前記第１のＢＳＳＩＤとは異なる第２のＢＳＳＩＤに関連する、
を備える、方法。
【請求項２】
前記第１のクライアントデバイスが前記第１のＢＳＳの前記チャネルを独占していることを決定することが、
前記第１のＢＳＳに接続された第２のクライアントデバイスのパフォーマンス低下を決定すること
を備える、請求項１に記載の方法。
【請求項３】
前記第１のＢＳＳに接続された前記第２のクライアントデバイスの前記パフォーマンス低下を決定することが、
前記第１のクライアントデバイスによる前記チャネルのエアタイム使用量を決定すること
を備える、請求項２に記載の方法。
【請求項４】
前記第１のクライアントデバイスについてのＥＤＣＡ（enhanced distributed channel access）据え置き期間を増加させること
をさらに備える、請求項１に記載の方法。
【請求項５】
前記第１のクライアントデバイスについての送信機会（ＴＸＯＰ）制限を減少させること
をさらに備える、請求項１に記載の方法。
【請求項６】
前記第１のクライアントデバイスへの送信可（ＣＴＳ）メッセージの送信を選択的に差し控えること
をさらに備える、請求項１に記載の方法。
【請求項７】
前記第１のクライアントデバイスから送信要求（ＲＴＳ）メッセージを受信することと、前記ＲＴＳメッセージが、要求された持続時間値を備える、
前記要求された持続時間値より小さい持続時間フィールド値を選択することと、前記選択することが、前記決定に少なくとも部分的に基づく、
送信可（ＣＴＳ）メッセージを前記第１のクライアントデバイスに送信することと、前記ＣＴＳメッセージが、前記選択された持続時間フィールド値を備える、
をさらに備える、請求項１に記載の方法。
【請求項８】
前記第１のクライアントデバイスについてのアップリンクＡ−ＭＰＤＵ（Aggregate MAC Protocol Data Unit）ポリシーを修正すること
をさらに備える、請求項１に記載の方法。
【請求項９】
前記第１のクライアントデバイスを前記第２のＢＳＳにステアリングした後に、前記第１のクライアントデバイスが前記第１のＢＳＳに再関連付けを行うことを防ぐこと
をさらに備える、請求項１に記載の方法。
【請求項１０】
媒体アクセス制御（ＭＡＣ）レイヤの上で、前記第１のクライアントデバイスからのアップリンクパケットをドロップすること
をさらに備える、請求項１に記載の方法。
【請求項１１】
前記第１のクライアントデバイスが前記第１のＢＳＳの前記チャネルを独占していることを決定することが、
前記第１のクライアントデバイスが前記第１のＢＳＳに関連するアップリンクチャネルに過負荷をかけていることを決定すること
を備える、請求項１に記載の方法。
【請求項１２】
前記第１のクライアントデバイスをステアリングすることが、
分離メッセージ、認証解除メッセージ、またはＢＳＳ遷移管理フレームを前記第１のクライアントデバイスに送信すること
を備える、請求項１に記載の方法。
【請求項１３】
前記第１のクライアントデバイスが前記第１のＢＳＳの前記チャネルを独占しているという前記決定に少なくとも部分的に基づいて、前記第２のＢＳＳを作り出すこと
をさらに備える、請求項１に記載の方法。
【請求項１４】
前記第１のクライアントデバイスのステータスの変化に少なくとも部分的に基づいて、前記第２のＢＳＳを終了すること
をさらに備える、請求項１に記載の方法。
【請求項１５】
ステータスの前記変化が、前記第１のクライアントデバイスと前記第１のＢＳＳまたは前記第２のＢＳＳとの間の関連付けの変化、または前記第１のクライアントデバイスが前記第１のＢＳＳの前記チャネルを独占しているという前記決定の変化、または第２のクライアントデバイスと前記第１のＢＳＳとの間の関連付けの変化、のうちの少なくとも１つ、あるいはそれらの組合せを備える、請求項１４に記載の方法。
【請求項１６】
前記第２のＢＳＳの終了、または前記第１のクライアントデバイスが前記第１のＢＳＳの前記チャネルを独占しているという前記決定の変化、または第２のクライアントデバイスと前記第１のＢＳＳとの間の関連付けの変化、またはそれらの組合せに少なくとも部分的に基づいて、前記第１のクライアントデバイスを前記第１のＢＳＳにステアリングすること
をさらに備える、請求項１に記載の方法。
【請求項１７】
前記第１のＢＳＳおよび前記第２のＢＳＳのサービスセット識別子（ＳＳＩＤ）およびセキュリティ認証情報が同じである、請求項１に記載の方法。
【請求項１８】
ワイヤレス通信のための装置であって、
第１のクライアントデバイスが第１の基本サービスセット（ＢＳＳ）識別子（ＢＳＳＩＤ）に関連する第１のＢＳＳのチャネルを独占していることを決定するための手段と、
前記決定に少なくとも部分的に基づいて、前記第１のクライアントデバイスを、前記第１のＢＳＳに関してスロットル調整された第２のＢＳＳにステアリングするための手段と、前記第２のＢＳＳが、前記第１のＢＳＳＩＤとは異なる第２のＢＳＳＩＤに関連する、
を備える、装置。
【請求項１９】
前記第１のクライアントデバイスが前記第１のＢＳＳの前記チャネルを独占していることを決定するための前記手段が、
前記第１のＢＳＳに接続された第２のクライアントデバイスのパフォーマンス低下を決定するための手段
を備える、請求項１８に記載の装置。
【請求項２０】
前記第１のＢＳＳに接続された前記第２のクライアントデバイスの前記パフォーマンス低下を決定するための前記手段が、
前記第１のクライアントデバイスによる前記チャネルのエアタイム使用量を決定するための手段
を備える、請求項１９に記載の装置。
【請求項２１】
前記第１のクライアントデバイスについてのＥＤＣＡ（enhanced distributed channel access）据え置き期間を増加させるための手段
をさらに備える、請求項１８に記載の装置。
【請求項２２】
前記第１のクライアントデバイスについての送信機会（ＴＸＯＰ）制限を減少させるための手段
をさらに備える、請求項１８に記載の装置。
【請求項２３】
前記第１のクライアントデバイスへの送信可（ＣＴＳ）メッセージの送信を選択的に差し控えるための手段
をさらに備える、請求項１８に記載の装置。
【請求項２４】
前記第１のクライアントデバイスから送信要求（ＲＴＳ）メッセージを受信するための手段と、前記ＲＴＳメッセージが、要求された持続時間値を備える、
前記要求された持続時間値より小さい持続時間フィールド値を選択するための手段と、前記選択することが、前記決定に少なくとも部分的に基づく、
送信可（ＣＴＳ）メッセージを前記第１のクライアントデバイスに送信するための手段と、前記ＣＴＳメッセージが、前記選択された持続時間フィールド値を備える、
をさらに備える、請求項１８に記載の装置。
【請求項２５】
前記第１のクライアントデバイスについてのアップリンクＡ−ＭＰＤＵ（Aggregate MAC Protocol Data Unit）ポリシーを修正するための手段
をさらに備える、請求項１８に記載の装置。
【請求項２６】
前記第１のクライアントデバイスを前記第２のＢＳＳにステアリングした後に、前記第１のクライアントデバイスが前記第１のＢＳＳに再関連付けを行うことを防ぐための手段
をさらに備える、請求項１８に記載の装置。
【請求項２７】
媒体アクセス制御（ＭＡＣ）レイヤの上で、前記第１のクライアントデバイスからのアップリンクパケットをドロップするための手段
をさらに備える、請求項１８に記載の装置。
【請求項２８】
前記第１のクライアントデバイスが前記第１のＢＳＳの前記チャネルを独占していることを決定するための前記手段が、
前記第１のクライアントデバイスが前記第１のＢＳＳに関連するアップリンクチャネルに過負荷をかけていることを決定するための手段
を備える、請求項１８に記載の装置。
【請求項２９】
前記第１のクライアントデバイスをステアリングするための前記手段が、
分離メッセージ、認証解除メッセージ、またはＢＳＳ遷移管理フレームを前記第１のクライアントデバイスに送信するための手段
を備える、請求項１８に記載の装置。
【請求項３０】
前記第１のクライアントデバイスが前記第１のＢＳＳの前記チャネルを独占しているという前記決定に少なくとも部分的に基づいて、前記第２のＢＳＳを作り出すための手段
をさらに備える、請求項１８に記載の装置。
【請求項３１】
前記第１のクライアントデバイスのステータスの変化に少なくとも部分的に基づいて、前記第２のＢＳＳを終了するための手段
をさらに備える、請求項１８に記載の装置。
【請求項３２】
ステータスの前記変化が、前記第１のクライアントデバイスと前記第１のＢＳＳまたは前記第２のＢＳＳとの間の関連付けの変化、または前記第１のクライアントデバイスが前記第１のＢＳＳの前記チャネルを独占しているという前記決定の変化、または第２のクライアントデバイスと前記第１のＢＳＳとの間の関連付けの変化、のうちの少なくとも１つ、あるいはそれらの組合せを備える、請求項３１に記載の装置。
【請求項３３】
前記第２のＢＳＳの終了、または前記第１のクライアントデバイスが前記第１のＢＳＳの前記チャネルを独占しているという前記決定の変化、または第２のクライアントデバイスと前記第１のＢＳＳとの間の関連付けの変化、またはそれらの組合せに少なくとも部分的に基づいて、前記第１のクライアントデバイスを前記第１のＢＳＳにステアリングするための手段
をさらに備える、請求項１８に記載の装置。
【請求項３４】
前記第１のＢＳＳおよび前記第２のＢＳＳのサービスセット識別子（ＳＳＩＤ）およびセキュリティ認証情報が同じである、請求項１８に記載の装置。
【請求項３５】
システムにおける、ワイヤレス通信のための装置であって、
プロセッサと、
前記プロセッサと電子通信しているメモリと、
前記メモリに記憶される命令と、
を備え、前記命令は、前記プロセッサによって実行されると、前記装置に、
第１のクライアントデバイスが第１の基本サービスセット（ＢＳＳ）識別子（ＢＳＳＩＤ）に関連する第１のＢＳＳのチャネルを独占していることを決定することと、
前記決定に少なくとも部分的に基づいて、前記第１のクライアントデバイスを、前記第１のＢＳＳに関してスロットル調整された第２のＢＳＳにステアリングすることと、前記第２のＢＳＳが、前記第１のＢＳＳＩＤとは異なる第２のＢＳＳＩＤに関連する、
を行わせるように動作可能である、装置。
【請求項３６】
前記命令は、前記プロセッサによって、
前記第１のＢＳＳに接続された第２のクライアントデバイスのパフォーマンス低下を決定すること
を行うようにさらに実行可能である、請求項３５に記載の装置。
【請求項３７】
前記命令は、前記プロセッサによって、
前記第１のクライアントデバイスによる前記チャネルのエアタイム使用量を決定すること
を行うようにさらに実行可能である、請求項３６に記載の装置。
【請求項３８】
前記命令は、前記プロセッサによって、
前記第１のクライアントデバイスについてのＥＤＣＡ（enhanced distributed channel access）据え置き期間を増加させること
を行うようにさらに実行可能である、請求項３５に記載の装置。
【請求項３９】
前記命令は、前記プロセッサによって、
前記第１のクライアントデバイスについての送信機会（ＴＸＯＰ）制限を減少させること
を行うようにさらに実行可能である、請求項３５に記載の装置。
【請求項４０】
前記命令は、前記プロセッサによって、
前記第１のクライアントデバイスへの送信可（ＣＴＳ）メッセージの送信を選択的に差し控えること
を行うようにさらに実行可能である、請求項３５に記載の装置。
【請求項４１】
前記命令は、前記プロセッサによって、
前記第１のクライアントデバイスから送信要求（ＲＴＳ）メッセージを受信することと、前記ＲＴＳメッセージが、要求された持続時間値を備える、
前記要求された持続時間値より小さい持続時間フィールド値を選択することと、前記選択することが、前記決定に少なくとも部分的に基づく、
送信可（ＣＴＳ）メッセージを前記第１のクライアントデバイスに送信することと、前記ＣＴＳメッセージが、前記選択された持続時間フィールド値を備える、
を行うようにさらに実行可能である、請求項３５に記載の装置。
【請求項４２】
前記命令は、前記プロセッサによって、
前記第１のクライアントデバイスについてのアップリンクＡ−ＭＰＤＵ（Aggregate MAC Protocol Data Unit）ポリシーを修正すること
を行うようにさらに実行可能である、請求項３５に記載の装置。
【請求項４３】
前記命令は、前記プロセッサによって、
前記第１のクライアントデバイスを前記第２のＢＳＳにステアリングした後に、前記第１のクライアントデバイスが前記第１のＢＳＳに再関連付けを行うことを防ぐこと
を行うようにさらに実行可能である、請求項３５に記載の装置。
【請求項４４】
前記命令は、前記プロセッサによって、
媒体アクセス制御（ＭＡＣ）レイヤの上で、前記第１のクライアントデバイスからのアップリンクパケットをドロップすること
を行うようにさらに実行可能である、請求項３５に記載の装置。
【請求項４５】
前記命令は、前記プロセッサによって、
前記第１のクライアントデバイスが前記第１のＢＳＳに関連するアップリンクチャネルに過負荷をかけていることを決定すること
を行うようにさらに実行可能である、請求項３５に記載の装置。
【請求項４６】
前記命令は、前記プロセッサによって、
分離メッセージ、認証解除メッセージ、またはＢＳＳ遷移管理フレームを前記第１のクライアントデバイスに送信すること
を行うようにさらに実行可能である、請求項３５に記載の装置。
【請求項４７】
前記命令は、前記プロセッサによって、
前記第１のクライアントデバイスが前記第１のＢＳＳの前記チャネルを独占しているという前記決定に少なくとも部分的に基づいて、前記第２のＢＳＳを作り出すこと
を行うようにさらに実行可能である、請求項３５に記載の装置。
【請求項４８】
前記命令は、前記プロセッサによって、
前記第１のクライアントデバイスのステータスの変化に少なくとも部分的に基づいて、前記第２のＢＳＳを終了すること
を行うようにさらに実行可能である、請求項３５に記載の装置。
【請求項４９】
ステータスの前記変化が、前記第１のクライアントデバイスと前記第１のＢＳＳまたは前記第２のＢＳＳとの間の関連付けの変化、または前記第１のクライアントデバイスが前記第１のＢＳＳの前記チャネルを独占しているという前記決定の変化、または第２のクライアントデバイスと前記第１のＢＳＳとの間の関連付けの変化、のうちの少なくとも１つ、あるいはそれらの組合せを備える、請求項４８に記載の装置。
【請求項５０】
前記命令は、前記プロセッサによって、
前記第２のＢＳＳの終了、または前記第１のクライアントデバイスが前記第１のＢＳＳの前記チャネルを独占しているという前記決定の変化、または第２のクライアントデバイスと前記第１のＢＳＳとの間の関連付けの変化、またはそれらの組合せに少なくとも部分的に基づいて、前記第１のクライアントデバイスを前記第１のＢＳＳにステアリングすること
を行うようにさらに実行可能である、請求項３５に記載の装置。
【請求項５１】
前記第１のＢＳＳおよび前記第２のＢＳＳのサービスセット識別子（ＳＳＩＤ）およびセキュリティ認証情報が同じである、請求項３５に記載の装置。
【請求項５２】
ワイヤレス通信のためのコードを記憶する非一時的なコンピュータ読み取り可能な媒体であって、前記コードは、プロセッサによって、
第１のクライアントデバイスが第１の基本サービスセット（ＢＳＳ）識別子（ＢＳＳＩＤ）に関連する第１のＢＳＳのチャネルを独占していることを決定することと、
前記決定に少なくとも部分的に基づいて、前記第１のクライアントデバイスを、前記第１のＢＳＳに関してスロットル調整された第２のＢＳＳにステアリングすることと、前記第２のＢＳＳが、前記第１のＢＳＳＩＤとは異なる第２のＢＳＳＩＤに関連する、
を行うように実行可能である命令を備える、非一時的なコンピュータ読み取り可能な媒体。
【請求項５３】
前記命令が、前記プロセッサによって、
前記第１のＢＳＳに接続された第２のクライアントデバイスのパフォーマンス低下を決定すること
を行うようにさらに実行可能である、請求項５２に記載の非一時的なコンピュータ読み取り可能な媒体。
【請求項５４】
前記命令が、前記プロセッサによって、
前記第１のクライアントデバイスによる前記チャネルのエアタイム使用量を決定すること
を行うようにさらに実行可能である、請求項５３に記載の非一時的なコンピュータ読み取り可能な媒体。
【請求項５５】
前記命令が、前記プロセッサによって、
前記第１のクライアントデバイスについてのＥＤＣＡ（enhanced distributed channel access）据え置き期間を増加させること
を行うようにさらに実行可能である、請求項５２に記載の非一時的なコンピュータ読み取り可能な媒体。
【請求項５６】
前記命令が、前記プロセッサによって、
前記第１のクライアントデバイスについての送信機会（ＴＸＯＰ）制限を減少させること
を行うようにさらに実行可能である、請求項５２に記載の非一時的なコンピュータ読み取り可能な媒体。
【請求項５７】
前記命令が、前記プロセッサによって、
前記第１のクライアントデバイスへの送信可（ＣＴＳ）メッセージの送信を選択的に差し控えること
を行うようにさらに実行可能である、請求項５２に記載の非一時的なコンピュータ読み取り可能な媒体。
【請求項５８】
前記命令が、前記プロセッサによって、
前記第１のクライアントデバイスから送信要求（ＲＴＳ）メッセージを受信することと、前記ＲＴＳメッセージが、要求された持続時間値を備える、
前記要求された持続時間値より小さい持続時間フィールド値を選択することと、前記選択することが、前記決定に少なくとも部分的に基づく、
送信可（ＣＴＳ）メッセージを前記第１のクライアントデバイスに送信することと、前記ＣＴＳメッセージが、前記選択された持続時間フィールド値を備える、
を行うようにさらに実行可能である、請求項５２に記載の非一時的なコンピュータ読み取り可能な媒体。
【請求項５９】
前記命令が、前記プロセッサによって、
前記第１のクライアントデバイスについてのアップリンクＡ−ＭＰＤＵ（Aggregate MAC Protocol Data Unit）ポリシーを修正すること
を行うようにさらに実行可能である、請求項５２に記載の非一時的なコンピュータ読み取り可能な媒体。
【請求項６０】
前記命令が、前記プロセッサによって、
前記第１のクライアントデバイスを前記第２のＢＳＳにステアリングした後に、前記第１のクライアントデバイスが前記第１のＢＳＳに再関連付けを行うことを防ぐこと
を行うようにさらに実行可能である、請求項５２に記載の非一時的なコンピュータ読み取り可能な媒体。
【請求項６１】
前記命令が、前記プロセッサによって、
媒体アクセス制御（ＭＡＣ）レイヤの上で、前記第１のクライアントデバイスからのアップリンクパケットをドロップすること
を行うようにさらに実行可能である、請求項５２に記載の非一時的なコンピュータ読み取り可能な媒体。
【請求項６２】
前記命令が、前記プロセッサによって、
前記第１のクライアントデバイスが前記第１のＢＳＳに関連するアップリンクチャネルに過負荷をかけていることを決定すること
を行うようにさらに実行可能である、請求項５２に記載の非一時的なコンピュータ読み取り可能な媒体。
【請求項６３】
前記命令が、前記プロセッサによって、
分離メッセージ、認証解除メッセージ、またはＢＳＳ遷移管理フレームを前記第１のクライアントデバイスに送信すること
を行うようにさらに実行可能である、請求項５２に記載の非一時的なコンピュータ読み取り可能な媒体。
【請求項６４】
前記命令が、前記プロセッサによって、
前記第１のクライアントデバイスが前記第１のＢＳＳの前記チャネルを独占しているという前記決定に少なくとも部分的に基づいて、前記第２のＢＳＳを作り出すこと
を行うようにさらに実行可能である、請求項５２に記載の非一時的なコンピュータ読み取り可能な媒体。
【請求項６５】
前記命令が、前記プロセッサによって、
前記第１のクライアントデバイスのステータスの変化に少なくとも部分的に基づいて、前記第２のＢＳＳを終了すること
を行うようにさらに実行可能である、請求項５２に記載の非一時的なコンピュータ読み取り可能な媒体。
【請求項６６】
ステータスの前記変化が、前記第１のクライアントデバイスと前記第１のＢＳＳまたは前記第２のＢＳＳとの間の関連付けの変化、または前記第１のクライアントデバイスが前記第１のＢＳＳの前記チャネルを独占しているという前記決定の変化、または第２のクライアントデバイスと前記第１のＢＳＳとの間の関連付けの変化、のうちの少なくとも１つ、あるいはそれらの組合せを備える、請求項６５に記載の非一時的なコンピュータ読み取り可能な媒体。
【請求項６７】
前記命令が、前記プロセッサによって、
前記第２のＢＳＳの終了、または前記第１のクライアントデバイスが前記第１のＢＳＳの前記チャネルを独占しているという前記決定の変化、または第２のクライアントデバイスと前記第１のＢＳＳとの間の関連付けの変化、またはそれらの組合せに少なくとも部分的に基づいて、前記第１のクライアントデバイスを前記第１のＢＳＳにステアリングすること
を行うようにさらに実行可能である、請求項５２に記載の非一時的なコンピュータ読み取り可能な媒体。
【請求項６８】
前記第１のＢＳＳおよび前記第２のＢＳＳのサービスセット識別子（ＳＳＩＤ）およびセキュリティ認証情報が同じである、
請求項５２に記載の非一時的なコンピュータ読み取り可能な媒体。
【発明の詳細な説明】
【相互参照】
【０００１】
[0001]  本特許出願は、「Improving Uplink Airtime Fairness Through Basic Service Set Steering」と題されて２０１６年７月２５日に出願された、Ｓｕｎらによる米国特許出願第１５／２１８，７３０号に対する優先権を主張し、それは本願の譲受人に譲渡される。
【背景技術】
【０００２】
[0002]  以下は、一般にワイヤレス通信に関し、より具体的には、基本サービスセットステアリングを通じてアップリンクエアタイムフェアネスを改善することに関する。
【０００３】
[0003]  ワイヤレス通信システムは、音声、ビデオ、パケットデータ、メッセージング、ブロードキャスト等のような、様々なタイプの通信コンテンツを提供するために広く展開されている。これらのシステムは、利用可能なシステムリソース（例えば、時間、周波数、および電力）を共有することによって、複数のユーザとの通信をサポートすることができる多元接続システムであり得る。ワイヤレスネットワーク、例えば、Ｗｉ−Ｆｉ（すなわち、ＩＥＥＥ  ８０２．１１）ネットワークのようなＷＬＡＮは、１つまたは複数の局（ＳＴＡ）またはモバイルデバイスと通信し得るアクセスポイント（ＡＰ）を含み得る。ＡＰは、インターネットのようなネットワークに結合され得、ＳＴＡがネットワークを介して通信する（またはＡＰに結合された他のデバイスと通信する）ことを可能にし得る。ワイヤレスデバイスは、ネットワークデバイスと双方向に通信し得る。例えば、ＷＬＡＮでは、ＳＴＡは、ダウンリンク（ＤＬ）およびアップリンク（ＵＬ）を介して関連するＡＰと通信し得る。ＤＬ（またはフォワードリンク）は、ＡＰからＳＴＡへの通信リンクを指し得、ＵＬ（またはリバースリンク）は、ＳＴＡからＡＰへの通信リンクを指し得る。
【０００４】
[0004]  エアタイムフェアネス（ＡＴＦ：Airtime Fairness）は、ワイヤレス通信システム中の様々なＳＴＡに割り振られるエアタイムの量を管理することによってシステムパフォーマンスを改善するために使用され得、かつＤＬ送信を制限するために使用される、ＡＰによって用いられ得る、ワイヤレス通信システム技法である。ＡＴＦを用いるワイヤレス通信システムでは、追加的なエアタイムをより高いデータレートのＳＴＡに提供するために、より低いデータレートのＳＴＡによって消費されるエアタイムの量を制限するため、ＡＰに接続された各ＳＴＡに、等しいエアタイムが割り振られ得る。
【０００５】
[0005]  ＡＴＦはＤＬ送信のためのエアタイムを効率的に管理する一方で、ＡＴＦを用いるワイヤレス通信システムは、ＳＴＡがデータ送信でチャネルを独占するまたはチャネルに過負荷をかける（monopolizes or overloads a channel）状況に適切に対処することができない可能性がある。一部のケースでは、これにより、高い優先順位のトラフィック（例えば、ビデオストリーミング）のための全体的なエアタイムが短くなり得、高い優先順位のトラフィックのためのクオリティオブサービス（ＱｏＳ）が低下し得る。これによりまた、データパケットを送信している（または送信することを試みている）ワイヤレス通信システムの高データレート（またはより高い優先順位の）デバイスのためのエアタイムも短くなり得、最終的に高データレート（またはより高い優先順位の）デバイスのパフォーマンスが低下する。
【発明の概要】
【０００６】
[0006]  説明される技法は、基本サービスセット（ＢＳＳ）ステアリングを通じてアップリンクエアタイムフェアネスを改善することをサポートする、改善された方法、システム、デバイス、または装置に関する。一般に、説明される技法は、アクセスポイント（ＡＰ）によってサービス提供される第１のＢＳＳの第１のクライアントデバイスが第１のＢＳＳのアップリンクリソースを独占している（またはアップリンクリソースに過負荷をかけている）かどうかを決定するために使用され得る。例えば、第１のＢＳＳの第２のクライアントデバイスがアップリンクパケットを送信している（または送信することを試みている）が、第１のクライアントデバイスによるアップリンクリソースの独占に起因する低いクオリティオブサービス（ＱｏＳ）を経験している場合、第１のクライアントデバイスは、貪欲（greedy）なものであると識別され得る。
【０００７】
[0007]  一旦識別されると、ＡＰは、第１のＢＳＳのＢＳＳＩＤとは異なるＢＳＳ識別子（ＢＳＳＩＤ）を有する第２のＢＳＳ（例えば、仮想ＡＰ（ＶＡＰ））を動的に作り出し得る。第２のＢＳＳは、第２のＢＳＳに接続されたデバイスからのアップリンクトラフィックをスロットル調整（throttle）する（すなわち、制限する）、第１のＢＳＳとは異なるパラメータを用いて構成され得る。第１のクライアントデバイスは次いで、第１のクライアントデバイスからのアップリンクトラフィックが第２のＢＳＳによってスロットル調整されるように、（例えば、ＢＳＳ遷移管理（BSS Transition Management）を使用して）第２のＢＳＳにステアリング（steered）され得る。その結果、（第１のクライアントデバイスによって過負荷をかけられた）第１のＢＳＳの前に（previously）過負荷をかけられたアップリンクリソースが解放され得、高データレートデバイスにおける、または高い優先順位のトラフィックのための、より良いパフォーマンス（例えば、より高いＱｏＳ）が可能になる。
【０００８】
[0008]  ワイヤレス通信の方法が説明される。方法は、第１のクライアントデバイスが第１のＢＳＳＩＤに関連する第１のＢＳＳのチャネルを独占していることを決定することと、決定に少なくとも部分的に基づいて、第１のクライアントデバイスを、第１のＢＳＳに関してスロットル調整された第２のＢＳＳにステアリングすることであって、第２のＢＳＳが、第１のＢＳＳＩＤとは異なる第２のＢＳＳＩＤに関連する、ステアリングすることと、を含み得る。
【０００９】
[0009]  ワイヤレス通信のための装置が説明される。装置は、第１のクライアントデバイスが第１のＢＳＳＩＤに関連する第１のＢＳＳのチャネルを独占していることを決定するための手段と、決定に少なくとも部分的に基づいて、第１のクライアントデバイスを、第１のＢＳＳに関してスロットル調整された第２のＢＳＳにステアリングするための手段であって、第２のＢＳＳが、第１のＢＳＳＩＤとは異なる第２のＢＳＳＩＤに関連する、ステアリングするための手段と、を含み得る。
【００１０】
[0010]  ワイヤレス通信のための別の装置が説明される。装置は、プロセッサと、プロセッサと電子通信しているメモリと、メモリに記憶された命令と、を含み得る。命令は、第１のクライアントデバイスが第１のＢＳＳＩＤに関連する第１のＢＳＳのチャネルを独占していることを決定することと、決定に少なくとも部分的に基づいて、第１のクライアントデバイスを、第１のＢＳＳに関してスロットル調整された第２のＢＳＳにステアリングすることであって、第２のＢＳＳが、第１のＢＳＳＩＤとは異なる第２のＢＳＳＩＤに関連する、ステアリングすることと、をプロセッサに行わせるように動作可能であり得る。
【００１１】
[0011]  ワイヤレス通信のための非一時的なコンピュータ読み取り可能な媒体が説明される。非一時的なコンピュータ読み取り可能な媒体は、第１のクライアントデバイスが第１のＢＳＳＩＤに関連する第１のＢＳＳのチャネルを独占していることを決定することと、決定に少なくとも部分的に基づいて、第１のクライアントデバイスを、第１のＢＳＳに関してスロットル調整された第２のＢＳＳにステアリングすることであって、第２のＢＳＳが、第１のＢＳＳＩＤとは異なる第２のＢＳＳＩＤに関連する、ステアリングすることと、をプロセッサに行わせるように動作可能な命令を含み得る。
【００１２】
[0012]  上述した方法、装置、および非一時的なコンピュータ読み取り可能な媒体のいくつかの例では、第１のクライアントデバイスが第１のＢＳＳのチャネルを独占している可能性があると決定することは、第１のＢＳＳに接続された第２のクライアントデバイスのパフォーマンス低下を決定することを備える。
【００１３】
[0013]  上述した方法、装置、および非一時的なコンピュータ読み取り可能な媒体のいくつかの例では、第１のＢＳＳに接続された第２のクライアントデバイスのパフォーマンス低下を決定することは、第１のクライアントデバイスによるチャネルのエアタイム使用量（airtime usage）を決定することを備える。
【００１４】
[0014]  上述した方法、装置、および非一時的なコンピュータ読み取り可能な媒体のいくつかの例はさらに、第１のクライアントデバイスについてのＥＤＣＡ（enhanced distributed channel access）据え置き期間（deferral length）を増加させるための処理、特徴、手段、または命令を含み得る。
【００１５】
[0015]  上述した方法、装置、および非一時的なコンピュータ読み取り可能な媒体のいくつかの例はさらに、第１のクライアントデバイスについての送信機会（ＴＸＯＰ）制限を減少させるための処理、特徴、手段、または命令を含み得る。
【００１６】
[0016]  上述した方法、装置、および非一時的なコンピュータ読み取り可能な媒体のいくつかの例はさらに、第１のクライアントデバイスへの送信可（ＣＴＳ）メッセージの送信を選択的に差し控えるための処理、特徴、手段、または命令を含み得る。
【００１７】
[0017]  上述した方法、装置、および非一時的なコンピュータ読み取り可能な媒体のいくつかの例はさらに、第１のクライアントデバイスから送信要求（ＲＴＳ）メッセージを受信することであって、ＲＴＳメッセージが、要求された持続時間値を備える、受信すること、のための処理、特徴、手段、または命令を含み得る。上述した方法、装置、および非一時的なコンピュータ読み取り可能な媒体のいくつかの例はさらに、要求された持続時間値より小さい可能性のある持続時間フィールド値を選択することであって、選択することが、決定に少なくとも部分的に基づく、選択すること、のための処理、特徴、手段、または命令を含み得る。上述した方法、装置、および非一時的なコンピュータ読み取り可能な媒体のいくつかの例はさらに、ＣＴＳメッセージを第１のクライアントデバイスに送信することであって、ＣＴＳメッセージが、選択された持続時間フィールド値を備える、送信すること、のための処理、特徴、手段、または命令を含み得る。
【００１８】
[0018]  上述した方法、装置、および非一時的なコンピュータ読み取り可能な媒体のいくつかの例はさらに、媒体アクセス制御（ＭＡＣ）レイヤの上で、第１のクライアントデバイスからのアップリンクパケットをドロップする（dropping）ための処理、特徴、手段、または命令を含み得る。
【００１９】
[0019]  上述した方法、装置、および非一時的なコンピュータ読み取り可能な媒体のいくつかの例はさらに、第１のクライアントデバイスについてのアップリンクＡ−ＭＰＤＵ（Aggregate MAC Protocol Data Unit）ポリシーを修正するための処理、特徴、手段、または命令を含み得る。
【００２０】
[0020]  上述した方法、装置、および非一時的なコンピュータ読み取り可能な媒体のいくつかの例はさらに、第１のクライアントデバイスを第２のＢＳＳにステアリングした後に、第１のクライアントデバイスが第１のＢＳＳに再関連付けを行うことを防ぐための処理、特徴、手段、または命令を含み得る。
【００２１】
[0021]  上述した方法、装置、および非一時的なコンピュータ読み取り可能な媒体のいくつかの例では、第１のクライアントデバイスが第１のＢＳＳのチャネルを独占している可能性があると決定することは、第１のクライアントデバイスが第１のＢＳＳに関連するアップリンクチャネルに過負荷をかけている可能性があると決定することを備える。
【００２２】
[0022]  上述した方法、装置、および非一時的なコンピュータ読み取り可能な媒体のいくつかの例では、第１のクライアントデバイスをステアリングすることは、分離（dissociation）メッセージ、認証解除（deauthentication）メッセージ、またはＢＳＳ遷移管理フレームを第１のクライアントデバイスに送信することを備える。
【００２３】
[0023]  上述した方法、装置、および非一時的なコンピュータ読み取り可能な媒体のいくつかの例はさらに、第１のクライアントデバイスが第１のＢＳＳのチャネルを独占している可能性があるという決定に少なくとも部分的に基づいて、第２のＢＳＳを作り出すための処理、特徴、手段、または命令を含み得る。
【００２４】
[0024]  上述した方法、装置、および非一時的なコンピュータ読み取り可能な媒体のいくつかの例はさらに、第１のクライアントデバイスのステータスの変化に少なくとも部分的に基づいて、第２のＢＳＳを終了するための処理、特徴、手段、または命令を含み得る。
【００２５】
[0025]  上述した方法、装置、および非一時的なコンピュータ読み取り可能な媒体のいくつかの例では、ステータスの変化は、第１のクライアントデバイスと第１のＢＳＳまたは第２のＢＳＳとの間の関連付けの変化、または第１のクライアントデバイスが第１のＢＳＳのチャネルを独占している可能性があるという決定の変化、または第２のクライアントデバイスと第１のＢＳＳとの間の関連付けの変化のうちの少なくとも１つ、あるいはそれらの組合せを備える。
【００２６】
[0026]  上述した方法、装置、および非一時的なコンピュータ読み取り可能な媒体のいくつかの例はさらに、第２のＢＳＳの終了、または第１のクライアントデバイスが第１のＢＳＳのチャネルを独占している可能性があるという決定の変化、または第２のクライアントデバイスと第１のＢＳＳとの間の関連付けの変化、またはそれらの組合せに少なくとも部分的に基づいて、第１のクライアントデバイスを第１のＢＳＳにステアリングするための処理、特徴、手段、または命令を含み得る。
【００２７】
[0027]  上述した方法、装置、および非一時的なコンピュータ読み取り可能な媒体のいくつかの例では、第１のＢＳＳおよび第２のＢＳＳのサービスセット識別子（ＳＳＩＤ）およびセキュリティ認証情報（security credentials）が同じであり得る。
【図面の簡単な説明】
【００２８】
【図１】[0028]  図１は、本開示の態様による、基本サービスセットステアリングを通じてアップリンクエアタイムフェアネスを改善することをサポートするワイヤレス通信のためのシステムの例を例示する。
【図２】[0029]  図２は、本開示の態様による、基本サービスセットステアリングを通じてアップリンクエアタイムフェアネスを改善することをサポートするワイヤレス通信のためのシステムの例を例示する。
【図３】[0030]  図３は、本開示の態様による、基本サービスセットステアリングを通じてアップリンクエアタイムフェアネスを改善することをサポートするワイヤレス通信のためのシステムの例を例示する。
【図４】[0031]  図４は、本開示の態様による、基本サービスセットステアリングを通じてアップリンクエアタイムフェアネスを改善するための処理フローの例を例示する。
【図５】[0032]  図５は、本開示の態様による、基本サービスセットステアリングを通じてアップリンクエアタイムフェアネスを改善することをサポートするデバイスのブロック図を示す。
【図６】図６は、本開示の態様による、基本サービスセットステアリングを通じてアップリンクエアタイムフェアネスを改善することをサポートするデバイスのブロック図を示す。
【図７】図７は、本開示の態様による、基本サービスセットステアリングを通じてアップリンクエアタイムフェアネスを改善することをサポートするデバイスのブロック図を示す。
【図８】[0033]  図８は、本開示の態様による、基本サービスセットステアリングを通じてアップリンクエアタイムフェアネスを改善することをサポートするＡＰを含むシステムのブロック図を例示する。
【図９】[0034]  図９は、本開示の態様による、基本サービスセットステアリングを通じてアップリンクエアタイムフェアネスを改善するための方法を例示する。
【詳細な説明】
【００２９】
[0035]  ワイヤレス通信システムは、システム中の様々なデバイスにリソース（例えば、周波数、時間、電力等）を割り振るために様々な技法を用い得る。一部のケースでは、アクセスポイント（ＡＰ）は、高データレート局（ＳＴＡ）および低データレートＳＴＡ（例えば、低い変調およびコーディングスキーム（ＭＣＳ）を使用して通信するＳＴＡ、ＡＰのカバレッジエリアのエッジに位置するＳＴＡ、弱い信号強度のＳＴＡ、または制限されたデータレート能力のＳＴＡデバイス等）の各々に、同じサイズのパケットを送信し得る。そのようなケースでは、低データレートＳＴＡは、高データレートＳＴＡに比べてパケットを成功裏に受信するためにより長い時間を要することになる、なぜなら低データレートＳＴＡは１秒に受信されることができるデータの量が制限されているからである。その結果、同じサイズのデータパケットが同じ媒体上で高データレートＳＴＡおよび低データレートＳＴＡの各々に送信されることになる場合、低データレートＳＴＡは、高データレートＳＴＡより長い持続時間の間媒体を占有することになり、ＡＰに同様に接続された高データレートデバイスによって経験されるクオリティオブサービス（ＱｏＳ）が低下し得る。
【００３０】
[0036]  エアタイムフェアネス（ＡＴＦ）は、ＡＰに接続された各ＳＴＡに等しいエアタイムを提供することによってシステム中の様々なＳＴＡに割り振られるエアタイムの量を管理するために、ＡＰによって用いられ得る。ＡＴＦは、システムパフォーマンスを改善するため、より低いデータレートのＳＴＡに割り振られるエアタイムの量を制限し、より高いデータレートのＳＴＡに追加的なエアタイムを提供するために、使用され得る。より低いデータレートのＳＴＡはより短いエアタイムを割り振られるが、ＱｏＳは比較的変化しないままであり（すなわち、エンドユーザはパフォーマンスにおけるいかなる顕著な差異も経験しない可能性があり）、一方で、高データレートＳＴＡはより良いＱｏＳを経験し得る（すなわち、エンドユーザは、より高いパフォーマンスを経験し得る）。
【００３１】
[0037]  ＡＴＦは、（ＡＰからＳＴＡへの）ダウンリンク送信のためのエアタイムを効率的に管理するために使用され得るが、しかし一方で、一部のケースでは、低データレートＳＴＡは、アップリンク送信でチャネルを独占し得る（またはチャネルに過負荷をかけ得る）。例えば、低データレートデバイスは、大きなおよび／または複数のアップリンクパケットを送信するために、比較的長い持続時間の間アップリンク送信で媒体を占有し得る。これにより、高い優先順位のアップリンクトラフィック（例えば、ビデオストリーミング）または高データレートデバイスのための全体的なエアタイムがより短くなり得、高い優先順位のアップリンクトラフィックまたは高データレートデバイスのためのＱｏＳが低下し得る。
【００３２】
[0038]  全体的なシステムパフォーマンスを改善するために、ワイヤレス通信システムは、ＡＰによってサービス提供されるＢＳＳのチャネルを独占しているまたはチャネルに過負荷をかけているＳＴＡを決定または識別するために、モニタされ得る。一旦貪欲なＳＴＡが識別されると、ＡＰは、第２のＢＳＳに接続されたデバイスからのアップリンクトラフィックをスロットル調整する（または制限する）パラメータを用いて第２のＢＳＳ（例えば、仮想ＡＰ（ＶＡＰ））を動的に作り出し得る。第２のＢＳＳを作り出した後、ＡＰは、貪欲なＳＴＡを、第２のＢＳＳに関連付けを行うようにステアリングし得る。
【００３３】
[0039]  本開示の態様は、最初はワイヤレス通信システムの文脈で説明される。本開示の態様はさらに、本出願の名称に関係する装置図、システム図、およびフローチャートによって例示され、かつそれらを参照して説明される。
【００３４】
[0040]  図１は、本開示の様々な態様に従って構成された（Ｗｉ−Ｆｉネットワークとしても知られる）ワイヤレスローカルエリアネットワーク（ＷＬＡＮ）１００を例示する。ＷＬＡＮ１００は、ＡＰ１０５および複数の関連するＳＴＡ１１５を含み得、それらは、モバイル局、携帯情報端末（ＰＤＡ）、他のハンドヘルドデバイス、ネットブック、ノートブックコンピュータ、タブレットコンピュータ、ラップトップ、ディスプレイデバイス（例えば、ＴＶ、コンピュータモニタ等）、プリンタ等のようなデバイスを表し得る。ＡＰ１０５および関連する局１１５は、ＢＳＳまたは拡張サービスセット（ＥＳＳ）を表し得る。ネットワーク中の様々なＳＴＡ１１５は、ＡＰ１０５を通じて互いに通信することが可能である。ＡＰ１０５のカバレッジエリア１１０もまた示され、それは、ＷＬＡＮ１００の基本サービスエリア（ＢＳＡ）を表し得る。ＷＬＡＮ１００に関連する拡張されたネットワーク局（示されていない）は、あるＥＳＳにおいて複数のＡＰ１０５が接続されることを可能にし得る、ワイヤードまたはワイヤレス分配システムに接続され得る。
【００３５】
[0041]  図１には示されていないが、ＳＴＡ１１５は、１つより多くのカバレッジエリア１１０の共通部分に位置し得、１つより多くのＡＰ１０５に関連付けを行い得る。単一のＡＰ１０５と、ＳＴＡ１１５の関連付けられたセットは、ＢＳＳと呼ばれ得る。ＥＳＳは、接続された複数のＢＳＳのセットである。分配システム（示されていない）は、ＥＳＳ中の複数のＡＰ１０５を接続するために使用され得る。一部のケースでは、ＡＰ１０５のカバレッジエリア１１０は、セクタ（これもまた示されていない）に分割され得る。ＷＬＡＮ１００は、変動するおよびオーバーラップしているカバレッジエリア１１０を伴って、異なるタイプのＡＰ１０５（例えば、メトロポリタンエリア、ホームネットワーク等）を含み得る。２つのＳＴＡ１１５はまた、両方のＳＴＡ１１５が同じカバレッジエリア１１０にあるかどうかに関わらず、ダイレクトワイヤレスリンク１２０を介して直接的に通信し得る。ダイレクトワイヤレスリンク１２０の例は、Ｗｉ−Ｆｉダイレクト接続、Ｗｉ−Ｆｉ  ＴＤＬＳ（Tunneled Direct Link Setup）リンク、および他のグループ接続を含み得る。ＳＴＡ１１５およびＡＰ１０５は、ＩＥＥＥ  ８０２．１１、および限定されるわけではないが、８０２．１１ｂ、８０２．１１ｇ、８０２．１１ａ、８０２．１１ｎ、８０２．１１ａｃ、８０２．１１ａｄ、８０２．１１ａｈ等を含むバージョンからの物理およびＭＡＣレイヤのためのＷＬＡＮ無線およびベースバンドプロトコルに従って通信し得る。他のインプリメンテーションでは、ピアツーピア接続またはアドホックネットワークが、ＷＬＡＮ１００内でインプリメントされ得る。
【００３６】
[0042]  一部のケースでは、ＳＴＡ１１５（またはＡＰ１０５）は、セントラルＡＰ１０５によって検出可能であり得るが、セントラルＡＰ１０５のカバレッジエリア１１０中の他のＳＴＡ１１５によっては検出可能でない可能性がある。例えば、あるＳＴＡ１１５はセントラルＡＰ１０５のカバレッジエリア１１０の一方のエンドにあり得、ところが別のＳＴＡ１１５は他方のエンドにあり得る。したがって、両方のＳＴＡ１１５は、ＡＰ１０５とは通信し得るが、もう一方のものの送信を受信しない可能性がある。これは、競合ベースの環境（例えば、ＣＳＭＡ／ＣＡ（carrier sense multiple access with collision avoidance））において２つのＳＴＡ１１５についての衝突する送信をもたらし得る、なぜならそれらＳＴＡ１１５は、互いに重なりあって送信すること（transmitting on top of each other）を控えない可能性があるからである。それの送信が識別可能でないが同じカバレッジエリア１１０内にあるＳＴＡ１１５は、隠れノードとして知られ得る。ＣＳＭＡ／ＣＡは、送る側のＳＴＡ１１５（またはＡＰ１０５）によって送信される送信要求（ＲＴＳ）パケットと受信する側のＳＴＡ１１５（またはＡＰ１０５）によって送信される送信可（ＣＴＳ）パケットの交換によって補完され得る。これは、送り手および受信機の範囲内の他のデバイスに、プライマリ送信の持続時間の間送信をしないよう、警告し得る。したがって、ＲＴＳ／ＣＴＳは、隠れノード問題を緩和するのに役立ち得る。
【００３７】
[0043]  いくつかの例では、ＷＬＡＮ１００は、ＳＴＡ１１５がＷＬＡＮ１００のチャネルを独占しているかどうかを決定するためにモニタされ得る。ＳＴＡ１１５がＷＬＡＮのチャネルを独占していると決定される場合、ＷＬＡＮ１００のＡＰ１０５は、第２のＢＳＳに接続されたいずれのＳＴＡからのアップリンクトラフィックも制限するように構成され得る第２のＢＳＳ（例えば、ＶＡＰ）を動的に作り出し得る。ＷＬＡＮ１００のチャネルを独占しているＳＴＡ１１５は次いで、ＷＬＡＮ１００中の他のＳＴＡ１１５におけるパフォーマンス低下を防ぐために、第２のＢＳＳにステアリングされ得る。
【００３８】
[0044]  図２は、ＢＳＳステアリングを通じてアップリンクエアタイムフェアネスを改善するためのワイヤレス通信システム２００の例を例示する。一部のケースでは、ワイヤレス通信システム２００は、図１を参照して説明されたようなＳＴＡ１１５またはＡＰ１０５によって実施される技法の態様を表し得る。図２に示されるように、ワイヤレス通信システム２００は、カバレッジエリア１１０−ａに広がる第１のＢＳＳを含む。第１のＢＳＳは、ＡＰ１０５−ａに関連し、ＳＴＡ１１５−ａおよびＳＴＡ１１５−ｂを含む。図２において、ＳＴＡ１１５−ａは、チャネル２０５を使用してＡＰ１０５−ａと通信し、ＳＴＡ１１５−ｂは、チャネル２１０を使用してＡＰ１０５−ｂと通信する。
【００３９】
[0045]  いくつかの例では、ワイヤレス通信システム２００は、ＢＳＳのチャネルを独占しているまたはチャネルに過負荷をかけているクライアントデバイス（例えば、ＳＴＡ１１５−ａまたはＳＴＡ１１５−ｂ）を識別するために、モニタされる。例えば、ＡＰ１０５−ａは、ＳＴＡ１１５−ａまたはＳＴＡ１１５−ｂがアップリンク送信で第１のＢＳＳに過負荷をかけているかどうかを決定するために、チャネル２０５および２１０をモニタし得る。別の例では、ネットワークエンティティ（例えば、サービングゲートウェイまたはコアネットワークの別のノード、示されていない）は、第１のＢＳＳが過負荷をかけられており、かつ別のＢＳＳ（例えば、ワイヤレス通信システム２００中の異なるＡＰに関連する異なるＢＳＳ）にオフロードされることができないかどうかを決定するために、ＡＰ１０５−ａならびにＳＴＡ１１５−ａおよび１１５−ｂを含む第１のＢＳＳをモニタする。識別されたクライアントデバイスは、貪欲なクライアントデバイスまたは貪欲なＳＴＡと呼ばれ得る。
【００４０】
[0046]  貪欲なＳＴＡは、いくつかの要因に基づいて識別され得る。例えば、貪欲なＳＴＡは、貪欲なＳＴＡに関連するＭＣＳ、または貪欲なＳＴＡに関連する受信信号強度インジケータ（ＲＳＳＩ）がしきい値を超えるかどうかに基づいて識別され得る。他の例では、貪欲なＳＴＡは、とりわけ、貪欲なＳＴＡによって送信されたまたは送信されることになるアップリンクトラフィックのバイト数、または、貪欲なＳＴＡがチャネルを占有する時間量（例えば、貪欲なＳＴＡがしきい値時間量を超える場合、または貪欲なＳＴＡがそれのフェアな取り分よりもＮ倍長い間媒体を占有する場合）に基づいて、識別され得る。貪欲なＳＴＡに関連するチャネル品質情報（ＣＱＩ）フィードバックまたは干渉パラメータのような他のインジケータが、貪欲なＳＴＡの識別において使用され得る。
【００４１】
[0047]  いくつかの例では、チャネル２０５およびチャネル２１０は、同じチャネルであり得るか、異なるチャネルであり得るか、またはオーバーラップしているチャネルであり得る。図２の例に示されるように、ＳＴＡ１１５−ｂは、チャネル２１０上で比較的多くの量のエアタイムを消費している。例えば、ＳＴＡ１１５−ｂは、チャネル２１０上で大きなパケットを送信している可能性があるか、または複数のパケットを送信している可能性がある。別の例では、ＳＴＡ１１５−ｂは、長い持続時間の間送信している可能性がある（例えば、ＳＴＡ１１５−ｂは、長い送信時間をもたらす低いＭＣＳを使用してデータパケットを送信している可能性がある）。これもまた示されているように、ＳＴＡ１１５−ａは、チャネル２０５を使用してＡＰ１０５−ａと双方向に通信している。チャネル２１０上での大きなエアタイム送信は、ＡＰ１０５−ａがＳＴＡ１１５−ｂからの送信により過負荷をかけられ得るので、ＳＴＡ１１５−ａにおけるパフォーマンス低下を引き起こし得る。これは、ＳＴＡ１１５−ａからＡＰ１０５−ａに送信されるパケットの損失をもたらし得るか、チャネル２０５上でのＳＴＡ１１５−ａとＡＰ１０５−ａとの間のより遅い送信または受信時間をもたらし得る。この例では、ＳＴＡ１１５−ａによって経験される低いＱｏＳにつながる、ＳＴＡ１１５−ｂがＡＰ１０５−ａに関連する第１のＢＳＳに過負荷をかけていること、またはチャネル２１０を独占していること、が決定され得る。
【００４２】
[0048]  一旦ＳＴＡ１１５−ｂが貪欲であると識別されると、ＡＰ１０５−ａは、第１のＢＳＳのＢＳＳＩＤとは異なるＢＳＳＩＤを有する第２のＢＳＳ（例えば、ＶＡＰ）を作り出し得る。第２のＢＳＳは、第１のＢＳＳと同じＳＳＩＤおよび同一のセキュリティ認証情報を有し得るが、第１のＢＳＳに関してスロットル調整されたパラメータを用いて構成され得る。第２のＢＳＳを作り出した後、貪欲なＳＴＡ１１５−ｂは第２のＢＳＳに関連付けを行うようにステアリングされ得、かつ貪欲なＳＴＡ１１５−ｂからのアップリンク送信は（第２のＢＳＳの構成に起因して）スロットル調整され、それは貪欲なＳＴＡ１１５−ｂがワイヤレス通信システム２００中のＳＴＡ１１５−ａにおけるＱｏＳを低下させることを防ぐ。
【００４３】
[0049]  図３は、ＢＳＳステアリングを通じてアップリンクエアタイムフェアネスを改善するためのワイヤレス通信デバイス３００の例を例示する。一部のケースでは、ワイヤレス通信デバイス３００は、図１および図２を参照して説明されたようなＡＰ１０５（または他のネットワークエンティティ）によって実施される技法の態様を表し得る。
【００４４】
[0050]  図３において、ワイヤレス通信デバイス３００は、複数のＢＳＳ３０５を管理することができる。例えば、ワイヤレス通信デバイス３００は、ＢＳＳ３０５−ａおよび３０５−ｃを含む持続的な（persistent）ＢＳＳ３１０のグループを管理することが可能であり得る。持続的なＢＳＳ３１０は、異なる周波数バンドに関連し得る（例えば、ＢＳＳ３０５−ａは２．４ギガヘルツ（ＧＨｚ）通信をサポートし得、ＢＳＳ３０５−ｃは５ＧＨｚ通信をサポートし得る）か、または異なるセキュリティ認証情報に関連し得る（例えば、ＢＳＳ３０５−ａはオープンネットワークであり得、一方でＢＳＳ３０５−ｃはプライベートネットワークであり得る）。
【００４５】
[0051]  いくつかの例では、ワイヤレス通信デバイス３００はまた、ＢＳＳ３０５−ｂおよびＢＳＳ３０５−ｄを含む動的に作り出されたＢＳＳ３１５のグループを管理することができる可能性がある。動的なＢＳＳ３０５−ｂおよび３０５−ｄの各々は、持続的なＢＳＳ３１０のグループ内のＢＳＳに対応し得る。例えば、動的なＢＳＳ３０５−ｂは、持続的なＢＳＳ３０５−ａに一致（correspond with）し得、動的なＢＳＳ３０５−ｄは、持続的なＢＳＳ３０５−ｃに一致し得る。動的に作り出されたＢＳＳ３１５は、貪欲なＳＴＡ（例えば、図２における貪欲なＳＴＡ１１５−ｂ）の識別に基づいて、作り出され得る。いくつかの例では、動的に作り出されたＢＳＳは、それの対応する持続的なＢＳＳと同じＳＳＩＤおよびセキュリティ認証情報を共有し得、また貪欲なＳＴＡによって過負荷をかけられたチャネルに関連し得る。
【００４６】
[0052]  動的に作り出されたＢＳＳ３１５は、持続的なＢＳＳ３１０に関連するパラメータとは異なるスロットル調整パラメータを含み得る。例えば、ＢＳＳ３０５−ｂは、ＢＳＳ３０５−ａに比べてより大きなＥＤＣＡ（enhanced distributed channel access）据え置き（deferrals）またはより短い送信機会（ＴＸＯＰ）で構成され得る。さらに、ＢＳＳ３０５−ｂはまた、ＳＴＡのための送信可（ＣＴＳ）メッセージを選択的に差し控えること、ＳＴＡから受信されるアップリンクパケットをドロップすること、またはＳＴＡのためのアップリンクＡ−ＭＰＤＵ（Aggregate MAC Protocol Data Unit）ポリシーを修正すること、を行うように構成され得る。同様に、ＢＳＳ３０５−ｄは、ＢＳＳ３０５−ｃに比べてより大きなＥＤＣＡ据え置きまたはより短いＴＸＯＰで構成され得る。さらに、ＢＳＳ３０５−ｄはまた、ＳＴＡのためのＣＴＳメッセージを選択的に差し控えること、ＳＴＡから受信されるアップリンクパケットをドロップすること、またはＳＴＡのためのアップリンクＡ−ＭＰＤＵポリシーを修正すること、を行うように構成され得る。
【００４７】
[0053]  いくつかの例では、持続的なＢＳＳ３０５−ａおよび３０５−ｃのうちの１つに関連するＳＴＡが、貪欲なものであると識別され得る。一旦識別されると、ワイヤレス通信デバイス３００は、矢印３２０によって示されるように、貪欲なＳＴＡによって過負荷をかけられている持続的なＢＳＳと一致（corresponding with）するＢＳＳを動的に作り出し得る。
【００４８】
[0054]  貪欲なＳＴＡをステアリングするために、ワイヤレス通信デバイス３００は、ＢＳＳ遷移管理（ＢＴＭ）または向上された基地局アルゴリズムを利用し得、貪欲なＳＴＡに対して代替的なＢＳＳを提案し得る。例えば、ＢＳＳ３０５−ａに関連するＳＴＡがＢＳＳ３０５−ａのチャネルを独占していたと決定された場合、ワイヤレス通信デバイス３００は、ＳＴＡがＢＳＳ３０５−ａに対応する動的なＢＳＳ３０５−ｂに接続することを提案し得る。貪欲なＳＴＡは次いで、提案に基づいて、ＢＳＳ３０５−ｂに関連付けを行い得る。他の例では、ワイヤレス通信デバイス３００は、貪欲なＳＴＡとＢＳＳ３０５−ａとの間の接続を終了するために、関連付け解除（disassociation）または認証解除（de-authentication）メッセージを貪欲なＳＴＡに送信し得る。そうすることによって、貪欲なＳＴＡは次いで、動的なＢＳＳ３０５−ｂに関連付けを行い得る。いくつかの例では、ワイヤレス通信デバイス３００は、プローブ要求、関連付け要求、または認証要求に応答しないことを選ぶことによって、貪欲なＳＴＡを動的なＢＳＳ３０５−ｂにステアリングし得る。これにより、貪欲なＳＴＡは、ＢＳＳ３０５−ａへ接続しようというそれの試みを停止し得、代わりにＢＳＳ３０５−ｂに接続し得る。
【００４９】
[0055]  一旦ＢＳＳ３０５−ｂに接続されると、貪欲なＳＴＡからのアップリンク送信は、（ＢＳＳ３０５−ｂの構成に起因して）スロットル調整される。これは、貪欲なＳＴＡがワイヤレス通信デバイス３００に接続された他のＳＴＡにおけるＱｏＳを低下させることを防ぎ得る。例えば、ＢＳＳ３０５−ｂの構成に起因して、貪欲なＳＴＡは、アップリンクパケットを送るためにより長い間待つ必要があり得る（より大きなＥＤＣＡ据え置き）。貪欲なＳＴＡはまた、より短いＴＸＯＰに起因して、アクセスを求めてより頻繁に競合しなければならない可能性がある。一部のケースでは、ＢＳＳ３０５−ｂは、生成されるＣＴＳメッセージの数を制限するかまたはそれを選択的にドロップし得る、あるいはワイヤレス通信デバイス３００に関連する媒体アクセス制御（ＭＡＣ）の上で、貪欲なＳＴＡから受信されるアップリンクパケットをドロップし得る（すなわち、ＢＳＳ３０５−ｂは、貪欲なＳＴＡからアップリンクパケットをＭＡＣレイヤにおいて受信し得るが、そのアップリンクパケットをより上位のレイヤに受け渡さない可能性がある）。貪欲なＳＴＡを動的なＢＳＳ３０５−ｂにステアリングすることによって、これは、貪欲なＳＴＡが頻繁に送信しすぎることまたは速く送信しすぎることを防ぎ得る。
【００５０】
[0056]  いくつかの例では、貪欲なＳＴＡがもはや貪欲なものとして識別されない場合、矢印３２５によって示されるように、ＢＳＳ３０５−ｂは終了され得る。例えば、貪欲なＳＴＡが（例えば、電力の喪失に起因して）ワイヤレス通信デバイス３００との接続を断つ場合、動的なＢＳＳ３０５−ｂは終了され得る。他の例では、貪欲なＳＴＡがもはやアップリンクリソースを独占していない場合、またはワイヤレス通信デバイス３００に接続された他のＳＴＡがワイヤレス通信デバイス３００との接続を断つ場合、ＢＳＳ３０５−ｂは終了され得、ＳＴＡは、ＢＳＳ３０５−ａと接続するようにステアリングされ得る。
【００５１】
[0057]  図４は、ＢＳＳステアリングを通じてアップリンクエアタイムフェアネスを改善するための処理フロー４００の例を例示する。一部のケースでは、処理フロー４００は、図１を参照して説明されたようなＳＴＡ１１５またはＡＰ１０５によって実施される技法の態様を表し得る。
【００５２】
[0058]  ポイント４０５において、ＳＴＡ１１５−ｃは、ＡＰ１０５−ｂに関連する第１のＢＳＳのチャネルを独占し得る。いくつかの例では、独占することは、第１のＢＳＳのアップリンクチャネル上で大きなパケットまたは複数のパケットを送信することに関わり得る。他の例では、ＳＴＡ１１５−ｃは、ＡＰ１０５−ｂのカバレッジエリアのエッジの近くに位置するか、または低いＭＣＳを有する低データレートデバイスであり得る。
【００５３】
[0059]  ブロック４１０において、ＡＰ１０５−ｂは、ＳＴＡ１１５−ｃが第１のＢＳＳのチャネルを独占していることを決定し得る。いくつかの例では、ＡＰ１０５−ｂは、ブロック４１５において、ＡＰ１０５−ｂに接続された別のデバイスのパフォーマンス低下を決定することによって、ＳＴＡ１１５−ｃが第１のＢＳＳのチャネルを独占していることを決定し得る。他の例では、ＡＰ１０５−ｂは、ブロック４２０において、ＳＴＡ１１５−ｃのエアタイム使用量を決定し得る。例えば、ＡＰ１０５−ｂは、ＳＴＡ１１５−ｃが、ＡＰ１０５−ｂに接続された他のデバイスに比べて、フェアな取り分よりも多くのエアタイムを利用していることを決定し得る。一部のケースでは、ＳＴＡ１１５−ｃのエアタイム使用量を決定することは、ＳＴＡ１１５−ｃに関連するエアタイムが、しきい値を上回ったかどうか、またはフェアな取り分のエアタイムよりもＮ倍長いかどうかを決定することを含み得る。
【００５４】
[0060]  ＳＴＡ１１５−ｃが第１のＢＳＳを独占していることが決定された後、ＡＰ１０５−ｂは、ブロック４２５において、第２のＢＳＳを作り出す。第２のＢＳＳは、第１のＢＳＳと同じＳＳＩＤを共有し得るが、第１のＢＳＳに比べて異なるＢＳＳＩＤを有し得る。第２のＢＳＳはまた、第１のＢＳＳに比べてより大きなＥＤＣＡ据え置きまたはより短いＴＸＯＰで構成されることによって、第１のＢＳＳに関してスロットル調整され得る。さらに、第２のＢＳＳはまた、ＣＴＳメッセージを選択的に差し控えること、アップリンクパケットをドロップすること、または修正されたＡ−ＭＰＤＵポリシーを有すること、を行うために作り出され得る。一部のケースでは、ＡＰ１０５−ｂは、ブロック４１０における決定に基づいて、第１のクライアントデバイスのためのＣＴＳメッセージについての持続時間フィールド値を選択し得、選択された持続時間フィールド値は、第１のクライアントデバイスからのＲＴＳメッセージの要求された持続時間値よりも小さい可能性がある。
【００５５】
[0061]  ブロック４３０において、ＡＰ１０５−ｂまたは他のネットワークエンティティは、ＳＴＡ１１５−ｃを、ブロック４２５において作り出された第２のＢＳＳにステアリングし得る。ステアリングは、ＢＴＭを利用すること、またはＳＴＡ１１５−ｃからの通信に応答しないことを含み得る。ステアリングはまた、ＳＴＡ１１５−ｃが、第１のＢＳＳに再関連付けを行うことを防ぐことを含み得る。
【００５６】
[0062]  スロットル調整された通信４３５において、ＡＰ１０５−ｂおよびＳＴＡ１１５−ｃは、第２のＢＳＳを使用して通信し得る。通信は、第２のＢＳＳの構成に起因してスロットル調整され得る。これは、ＡＰ１０５−ｂに接続された他のデバイスにおけるより良いパフォーマンスまたはＱｏＳを可能にし得る。
【００５７】
[0063]  いくつかの例では、ＳＴＡ１１５−ｃは、ブロック４４０において、ステータスを変更し得る。例えば、ＳＴＡ１１５−ｃは、ＡＰ１０５−ｃとの関連付けを完全に解除し得る。他の例では、ステータスの変化は、ＡＰ１０５−ｂに接続されたデバイスがもはや低いＱｏＳに関連しない可能性があること、またはＳＴＡ１１５−ｃが第１のＢＳＳを独占しているという決定の変化を含み得る。
【００５８】
[0064]  ステータスの変化に基づいて、ＡＰ１０５−ｂは次いで、ブロック４４５において、第２のＢＳＳを終了し得る。いくつかの例では、第２のＢＳＳを終了することは、ＳＴＡ１１５−ｃを第１のＢＳＳにステアリングすることを含み得る。
【００５９】
[0065]  図５は、本開示の様々な態様による、ＢＳＳステアリングを通じてアップリンクエアタイムフェアネスを改善することをサポートするデバイス５０５のブロック図５００を示す。デバイス５０５は、図１および図２を参照して説明されたようなＡＰ１０５の態様の例であり得る。デバイス５０５は、受信機５１０、ＡＰ  ＢＳＳステアリングマネジャ５１５、および送信機５２０を含み得る。デバイス５０５はまた、プロセッサを含み得る。これらのコンポーネントの各々は、（例えば、１つまたは複数のバスを介して）互いに通信している可能性がある。
【００６０】
[0066]  受信機５１０は、（例えば、ＢＳＳステアリングを通じてアップリンクエアタイムフェアネスを改善することに関係する情報、データチャネル、および制御チャネル等の）様々な情報チャネルに関連する制御情報、ユーザデータ、またはパケットのような情報を受信し得る。情報は、デバイスの他のコンポーネントに伝えられ得る。受信機５１０は、図８を参照して説明されるトランシーバ８４０の態様の例であり得る。
【００６１】
[0067]  ＡＰ  ＢＳＳステアリングマネジャ５１５は、図８を参照して説明されるＡＰ  ＢＳＳステアリングマネジャ８１５の態様の例であり得る。ＡＰ  ＢＳＳステアリングマネジャ５１５は、第１のクライアントデバイスが第１のＢＳＳＩＤに関連する第１のＢＳＳのチャネルを独占していることを決定することと、決定に基づいて、第１のクライアントデバイスを、第１のＢＳＳに関してスロットル調整された第２のＢＳＳにステアリングすることであって、第２のＢＳＳが、第１のＢＳＳＩＤとは異なる第２のＢＳＳＩＤに関連する、ステアリングすることと、を行い得る。
【００６２】
[0068]  送信機５２０は、デバイスの他のコンポーネントによって生成される信号を送信し得る。いくつかの例では、送信機５２０は、トランシーバモジュール中で受信機５１０と共に配置され（be collocated）得る。例えば、送信機５２０は、図８を参照して説明されるトランシーバ８４０の態様の例であり得る。送信機５２０は、単一のアンテナを含み得るか、またはそれは、アンテナのセットを含み得る。
【００６３】
[0069]  図６は、本開示の様々な態様による、ＢＳＳステアリングを通じてアップリンクエアタイムフェアネスを改善することをサポートするデバイス６０５のブロック図６００を示す。デバイス６０５は、図１、図２および図５を参照して説明されたようなＡＰ１０５またはデバイス５０５の態様の例であり得る。デバイス６０５は、受信機６１０、ＡＰ  ＢＳＳステアリングマネジャ６１５、および送信機６２０を含み得る。デバイス６０５はまた、プロセッサを含み得る。これらのコンポーネントの各々は、（例えば、１つまたは複数のバスを介して）互いに通信している可能性がある。
【００６４】
[0070]  受信機６１０は、（例えば、ＢＳＳステアリングを通じてアップリンクエアタイムフェアネスを改善することに関係する情報、データチャネル、および制御チャネル等の）様々な情報チャネルに関連する制御情報、ユーザデータ、またはパケットのような情報を受信し得る。情報は、デバイスの他のコンポーネントに伝えられ得る。受信機６１０は、図８を参照して説明されるトランシーバ８４０の態様の例であり得る。
【００６５】
[0071]  ＡＰ  ＢＳＳステアリングマネジャ６１５は、図８を参照して説明されるＡＰ  ＢＳＳステアリングマネジャ８１５の態様の例であり得る。ＡＰ  ＢＳＳステアリングマネジャ６１５はまた、ＢＳＳモニタ６２５およびステアリングコンポーネント６３０を含み得る。
【００６６】
[0072]  ＢＳＳモニタ６２５は、第１のクライアントデバイスが第１のＢＳＳＩＤに関連する第１のＢＳＳのチャネルを独占していることを決定し得る。一部のケースでは、ステータスの変化は、第１のクライアントデバイスと第１のＢＳＳまたは第２のＢＳＳとの間の関連付けの変化、または第１のクライアントデバイスが第１のＢＳＳのチャネルを独占しているという決定の変化、または第２のクライアントデバイスと第１のＢＳＳとの間の関連付けの変化のうちの少なくとも１つ、あるいはそれらの組合せを含む。
【００６７】
[0073]  ステアリングコンポーネント６３０は、決定に基づいて、第１のクライアントデバイスを、第１のＢＳＳに関してスロットル調整された第２のＢＳＳにステアリングすることであって、第２のＢＳＳが、第１のＢＳＳＩＤとは異なる第２のＢＳＳＩＤに関連する、ステアリングすることと、第１のクライアントデバイスについてのＥＤＣＡ据え置き期間を増加させることと、第１のクライアントデバイスについてのＴＸＯＰ制限を減少させることと、第１のクライアントデバイスへのＣＴＳメッセージの送信を選択的に差し控えることと、要求された持続時間値を含むＲＴＳメッセージを受信することと、決定に基づいて、ＣＴＳメッセージについて要求された持続時間値より小さい持続時間フィールド値を選択することと、選択された持続時間フィールド値を含むＣＴＳメッセージを送信することと、第１のクライアントデバイスについてのアップリンクＡ−ＭＰＤＵポリシーを修正することと、第１のクライアントデバイスを第２のＢＳＳにステアリングした後に、第１のクライアントデバイスが第１のＢＳＳに再関連付けを行うことを防ぐことと、ＭＡＣレイヤの上で、第１のクライアントデバイスからのアップリンクパケットをドロップすることと、第２のＢＳＳの終了、または第１のクライアントデバイスが第１のＢＳＳのチャネルを独占しているという決定の変化、または第２のクライアントデバイスと第１のＢＳＳとの間の関連付けの変化、またはそれらの組合せに基づいて、第１のクライアントデバイスを第１のＢＳＳにステアリングすることと、を行い得る。
【００６８】
[0074]  送信機６２０は、デバイスの他のコンポーネントによって生成される信号を送信し得る。いくつかの例では、送信機６２０は、トランシーバモジュール中で受信機６１０と共に配置され得る。例えば、送信機６２０は、図８を参照して説明されるトランシーバ８４０の態様の例であり得る。送信機６２０は、単一のアンテナを含み得るか、またはアンテナのセットを含み得る。
【００６９】
[0075]  図７は、本開示の様々な態様による、ＢＳＳステアリングを通じてアップリンクエアタイムフェアネスを改善することをサポートするＡＰ  ＢＳＳステアリングマネジャ７１５のブロック図７００を示す。ＡＰ  ＢＳＳステアリングマネジャ７１５は、図５、図６、および図８を参照して説明されるＡＰ  ＢＳＳステアリングマネジャ５１５、ＡＰ  ＢＳＳステアリングマネジャ６１５、またはＡＰ  ＢＳＳステアリングマネジャ８１５の態様の例であり得る。ＡＰ  ＢＳＳステアリングマネジャ７１５は、ＢＳＳモニタ７２５およびステアリングコンポーネント７３０を含み得る。これらのモジュールの各々は、直接的にまたは間接的に、互いに（例えば、１つまたは複数のバスを介して）通信し得る。
【００７０】
[0076]  ＢＳＳモニタ７２５は、第１のクライアントデバイスが第１のＢＳＳＩＤに関連する第１のＢＳＳのチャネルを独占していることを決定し得る。一部のケースでは、ステータスの変化は、第１のクライアントデバイスと第１のＢＳＳまたは第２のＢＳＳとの間の関連付けの変化、または第１のクライアントデバイスが第１のＢＳＳのチャネルを独占しているという決定の変化、または第２のクライアントデバイスと第１のＢＳＳとの間の関連付けの変化のうちの少なくとも１つ、あるいはそれらの組合せを含む。
【００７１】
[0077]  ステアリングコンポーネント７３０は、決定に基づいて、第１のクライアントデバイスを、第１のＢＳＳに関してスロットル調整された第２のＢＳＳにステアリングすることであって、第２のＢＳＳが、第１のＢＳＳＩＤとは異なる第２のＢＳＳＩＤに関連する、ステアリングすることと、第１のクライアントデバイスについてのＥＤＣＡ据え置き期間を増加させることと、第１のクライアントデバイスについてのＴＸＯＰ制限を減少させることと、第１のクライアントデバイスへのＣＴＳメッセージの送信を選択的に差し控えることと、要求された持続時間値を含むＲＴＳメッセージを受信することと、決定に基づいて、ＣＴＳメッセージについて要求された持続時間値より小さい持続時間フィールド値を選択することと、選択された持続時間フィールド値を含むＣＴＳメッセージを送信することと、第１のクライアントデバイスについてのアップリンクＡ−ＭＰＤＵポリシーを修正することと、第１のクライアントデバイスを第２のＢＳＳにステアリングした後に、第１のクライアントデバイスが第１のＢＳＳに再関連付けを行うことを防ぐことと、ＭＡＣレイヤの上で、第１のクライアントデバイスからのアップリンクパケットをドロップすることと、第２のＢＳＳの終了、または第１のクライアントデバイスが第１のＢＳＳのチャネルを独占しているという決定の変化、または第２のクライアントデバイスと第１のＢＳＳとの間の関連付けの変化、またはそれらの組合せに基づいて、第１のクライアントデバイスを第１のＢＳＳにステアリングすることと、を行い得る。
【００７２】
[0078]  パフォーマンスモニタ７３５は、ワイヤレス通信システム中の１つまたは複数のクライアントデバイスのパフォーマンスをモニタし得る。一部のケースでは、第１のクライアントデバイスが第１のＢＳＳのチャネルを独占していることを決定することは、第１のＢＳＳに接続された第２のクライアントデバイスのパフォーマンス低下を決定することを含む。
【００７３】
[0079]  エアタイム決定器７４０は、ワイヤレス通信システム中の１つまたは複数のクライアントデバイスについてのエアタイム使用量を決定し得る。一部のケースでは、第１のＢＳＳに接続された第２のクライアントデバイスのパフォーマンス低下を決定することは、第１のクライアントデバイスによるチャネルのエアタイム使用量を決定することを含む。
【００７４】
[0080]  過負荷決定器７４５は、ワイヤレス通信システム中の１つまたは複数のクライアントデバイスがシステムに過負荷をかけているかどうかを決定し得る。一部のケースでは、第１のクライアントデバイスが第１のＢＳＳのチャネルを独占していることを決定することは、第１のクライアントデバイスが、オフロードされることができない第１のＢＳＳに関連するアップリンクチャネルに過負荷をかけていることを決定することを含む。
【００７５】
[0081]  メッセージ送信機７５０は、ワイヤレス通信システム中の１つまたは複数のクライアントデバイスにメッセージを送信し得る。一部のケースでは、第１のクライアントデバイスをステアリングすることは、分離メッセージ、認証解除メッセージ、またはＢＳＳ遷移管理フレームを第１のクライアントデバイスに送信することを含む。
【００７６】
[0082]  ＢＳＳマネジャ７５５は、第１のクライアントデバイスが第１のＢＳＳのチャネルを独占しているという決定に基づいて、第２のＢＳＳを作り出し、第１のクライアントデバイスのステータスの変化に基づいて、第２のＢＳＳを終了し得る。一部のケースでは、第１のＢＳＳおよび第２のＢＳＳのＳＳＩＤおよびセキュリティ認証情報は同じである。
【００７７】
[0083]  図８は、本開示の様々な態様による、ＢＳＳステアリングを通じてアップリンクエアタイムフェアネスを改善することをサポートするデバイス８０５を含むシステム８００の図を示す。デバイス８０５は、例えば、図１、図２、図５および図６を参照して上述したようなデバイス５０５、デバイス６０５、またはＡＰ１０５の例であり得る。
【００７８】
[0084]  デバイス８０５は、ＡＰ  ＢＳＳステアリングマネジャ８１５、プロセッサ８２５、メモリ８３０、ソフトウェア８３５、トランシーバ８４０、およびアンテナ８４５を含む、通信を送信および受信するためのコンポーネントを含む、双方向音声およびデータ通信のためのコンポーネントを含み得る。
【００７９】
[0085]  プロセッサ８２５は、インテリジェントハードウェアデバイス（例えば、セントラルプロセシングユニット（ＣＰＵ）、マイクロコントローラ、特定用途向け集積回路（ＡＳＩＣ）等）を含み得る。
【００８０】
[0086]  メモリ８３０は、ランダムアクセスメモリ（ＲＡＭ）および読み取り専用メモリ（ＲＯＭ）を含み得る。メモリ８３０は、実行されると、ここに説明された様々な機能をプロセッサに実施させる命令を含む、コンピュータ読み取り可能な、コンピュータ実行可能なソフトウェア８３５を記憶し得る。一部のケースでは、メモリ８３０は、とりわけ、周辺機器コンポーネントまたはデバイスとの相互作用のような基本ハードウェアおよび／またはソフトウェア動作を制御し得るＢＩＯＳ（Basic Input-Output system）を含むことができる。
【００８１】
[0087]  ソフトウェア８３５は、ＢＳＳステアリングを通じてアップリンクエアタイムフェアネスを改善することをサポートするためのコードを含む、本開示の態様をインプリメントするためのコードを含み得る。ソフトウェア８３５は、システムメモリまたは他のメモリのような非一時的なコンピュータ読み取り可能な媒体に記憶されることができる。一部のケースでは、ソフトウェア８３５は、プロセッサによって直接的に実行可能でない可能性があるが、（例えば、コンパイルされ実行されるとき）コンピュータに、ここに説明される機能を実施させ得る。
【００８２】
[0088]  トランシーバ８４０は、上述したように、１つまたは複数のアンテナ、ワイヤードリンク、またはワイヤレスリンクを介して、双方向に通信し得る。例えば、トランシーバ８４０は、ワイヤレストランシーバを表し得、別のワイヤレストランシーバと双方向に通信し得る。トランシーバ８４０はまた、パケットを変調してその変調されたパケットを送信のためにアンテナに提供するための、およびアンテナから受け取られるパケットを復調するための、モデムを含み得る。
【００８３】
[0089]  一部のケースでは、ワイヤレスデバイスは、単一のアンテナ８４５を含み得る。しかしながら、一部のケースでは、デバイス８０５は、１つより多くのアンテナ８４５を有し得、それらは、複数のワイヤレス送信をコンカレントに（concurrently）送信または受信することが可能であり得るか、またはＳＴＡ１１５−ｄおよび１１５−ｅと通信することが可能であり得る。
【００８４】
[0090]  図９は、本開示の様々な態様による、ＢＳＳステアリングを通じてアップリンクエアタイムフェアネスを改善するための方法９００を例示するフローチャートを示す。方法９００の動作は、ここに説明されたようなＡＰ１０５またはそれのコンポーネントによってインプリメントされ得る。例えば、方法９００の動作は、図５〜図７を参照して説明されたようなＡＰ  ＢＳＳステアリングマネジャによって実施され得る。いくつかの例では、ＡＰ１０５は、以下に説明される機能を実施するためにデバイスの機能要素を制御するためのコードのセットを実行し得る。追加的に、または代替的に、ＡＰ１０５は、専用ハードウェアを使用して、以下に説明される機能である態様を実施し得る。
【００８５】
[0091]  ブロック９０５において、ＡＰ１０５は、第１のクライアントデバイスが第１のＢＳＳＩＤに関連する第１のＢＳＳのチャネルを独占していることを決定し得る。ブロック９０５の動作は、図２〜図４を参照して説明された方法に従って実施され得る。ある特定の例では、ブロック９０５の動作の態様は、図５〜図７を参照して説明されたようなＢＳＳモニタによって実施され得る。
【００８６】
[0092]  ブロック９１０において、ＡＰ１０５は、決定に基づいて、第１のクライアントデバイスを、第１のＢＳＳに関してスロットル調整された第２のＢＳＳにステアリングし得、第２のＢＳＳは、第１のＢＳＳＩＤとは異なる第２のＢＳＳＩＤに関連する。ブロック９１０の動作は、図２〜図４を参照して説明された方法に従って実施され得る。ある特定の例では、ブロック９１０の動作の態様は、図５〜図７を参照して説明されたようなステアリングコンポーネントによって実施され得る。
【００８７】
[0093]  オプションとして、ブロック９１５において、ＡＰ１０５は、第１のクライアントデバイスについてのＥＤＣＡ据え置き期間を増加させ得る。ブロック９１５の動作は、図２〜図４を参照して説明された方法に従って実施され得る。ある特定の例では、ブロック９１５の動作の態様は、図５〜図７を参照して説明されたようなＢＳＳマネジャによって実施され得る。
【００８８】
[0094]  オプションとして、ブロック９２０において、ＡＰ１０５は、第１のクライアントデバイスについてのＴＸＯＰ制限を減少させ得る。ブロック９２０の動作は、図２〜図４を参照して説明された方法に従って実施され得る。ある特定の例では、ブロック９２０の動作の態様は、図５〜図７を参照して説明されたようなステアリングコンポーネントによって実施され得る。
【００８９】
[0095]  オプションとして、ブロック９２５において、ＡＰ１０５は、第１のクライアントデバイスへのＣＴＳメッセージの送信を選択的に差し控え得る。ブロック９２５の動作は、図２〜図４を参照して説明された方法に従って実施され得る。ある特定の例では、ブロック９２５の動作の態様は、図５〜図７を参照して説明されたステアリングコンポーネントによって実施され得る。
【００９０】
[0096]  オプションとして、ブロック９３０において、ＡＰ１０５は、第１のクライアントデバイスに送信されることになるＣＴＳメッセージについての持続時間フィールド値を選択し得る。一部のケースでは、持続時間フィールド値は、第１のクライアントデバイスからのＲＴＳメッセージの要求された持続時間値より小さい可能性がある。ブロック９３０の動作は、図２〜図４を参照して説明された方法に従って実施され得る。ある特定の例では、ブロック９３０の動作の態様は、図５〜図７を参照して説明されたステアリングコンポーネントによって実施され得る。
【００９１】
[0097]  オプションとして、ブロック９３５において、ＡＰ１０５は、第１のクライアントデバイスについてのアップリンクＡ−ＭＰＤＵポリシーを修正し得る。ブロック９３５の動作は、図２〜図４を参照して説明される方法に従って実施され得る。ある特定の例では、ブロック９３５の動作の態様は、図５〜図７を参照して説明されたステアリングコンポーネントによって実施され得る。
【００９２】
[0098]  オプションとして、ブロック９４０において、ＡＰ１０５は、第１のクライアントデバイスのステータスの変化に基づいて、第２のＢＳＳを終了し得る。ブロック９４０の動作は、図２〜図４を参照して説明された方法に従って実施され得る。ある特定の例では、ブロック９４０の動作の態様は、図５〜図７を参照して説明されたＢＳＳマネジャによって実施され得る。
【００９３】
[0099]  上述されたこれらの方法は可能性のあるインプリメンテーションを説明するものであること、ならびに動作およびステップは再配置または他の方法で修正され得ること、および他のインプリメンテーションが可能であることに留意されたい。さらに、これら方法のうちの２つ以上からの態様は、組み合わせられ得る。
【００９４】
[0100]  ここに説明される技法は、符号分割多元接続（ＣＤＭＡ）、時分割多元接続（ＴＤＭＡ）、周波数分割多元接続（ＦＤＭＡ）、直交周波数分割多元接続（ＯＦＤＭＡ）、単一キャリア周波数分割多元接続（ＳＣ−ＦＤＭＡ）、および他のシステムのような様々なワイヤレス通信システムのために使用され得る。「システム」および「ネットワーク」という用語は、しばしば交換可能に使用される。符号分割多元接続（ＣＤＭＡ）システムは、ＣＤＭＡ２０００、ユニバーサル地上波無線アクセス（ＵＴＲＡ）等のような無線技術をインプリメントし得る。ＣＤＭＡ２０００は、ＩＳ−２０００、ＩＳ−９５、およびＩＳ−８５６規格をカバーする。ＩＳ−２０００リリースは、通常ＣＤＭＡ２０００  １Ｘ、１Ｘ等と呼ばれ得る。ＩＳ−８５６（ＴＩＡ−８５６）は、通常ＣＤＭＡ２０００  １ｘＥＶ−ＤＯ、高レートパケットデータ（ＨＲＰＤ）等と呼ばれる。ＵＴＲＡは、ワイドバンドＣＤＭＡ（ＷＣＤＭＡ（登録商標））およびＣＤＭＡの他の変形を含む。時分割多元接続（ＴＤＭＡ）システムは、移動通信のためのグローバルシステム（ＧＳＭ（登録商標））のような無線技術をインプリメントし得る。直交周波数分割多元接続（ＯＦＤＭＡ）システムは、ウルトラモバイルブロードバンド（ＵＭＢ）、発展型ＵＴＲＡ（Ｅ−ＵＴＲＡ）、ＩＥＥＥ  ８０２．１１（Ｗｉ−Ｆｉ）、ＩＥＥＥ８０２．１６（ＷｉＭＡＸ）、ＩＥＥＥ８０２．２０、フラッシュＯＦＤＭ等のような無線技術をインプリメントし得る。
【００９５】
[0101]  ここに説明されるワイヤレス通信システム（１つまたは複数）は、同期または非同期動作をサポートし得る。同期動作の場合、ＡＰは同様のフレームタイミングを有し得、異なるＡＰからの送信は、時間的にほぼアラインされ得る（aligned in time）。非同期動作の場合、ＡＰは異なるフレームタイミングを有し得、異なるＡＰからの送信は、時間的にアラインされない可能性がある。ここに説明された技法は、同期動作または非同期動作のいずれにも使用され得る。
【００９６】
[0102]  ここに説明されるダウンリンク送信はまた、フォワードリンク送信とも呼ばれ得、一方でアップリンク送信はまた、リバースリンク送信とも呼ばれ得る。ここに説明される各通信リンク−例えば、図１および図２のＷＬＡＮ１００およびワイヤレス通信システム２００を含む−は、１つまたは複数のキャリアを含み得、ここで各キャリアは、複数のサブキャリア（例えば、異なる周波数の波形信号）から成る信号であり得る。
【００９７】
[0103]  添付の図面に関連してここに記載された説明は、例示的な構成を説明しており、インプリメントされ得るまたは特許請求の範囲の適用範囲（the scope）内にあるすべての例を表すわけではない。ここで使用された「例となる（exemplary）」という用語は、「例、事例、または例示としての役割を果たす」ことを意味し、「より好ましい」または「他の例よりも有利である」ことを意味しない。詳細な説明は、説明された技法の理解を提供することを目的として特定の詳細を含む。しかしながら、これらの技法は、これらの特定の詳細なしに実施され得る。いくつかの事例では、周知の構造およびデバイスは、説明された例の概念を不明瞭にすることを避けるために、ブロック図の形式で示される。
【００９８】
[0104]  添付の図面では、同様のコンポーネントまたは特徴は、同じ参照ラベルを有し得る。さらに、同じタイプの様々なコンポーネントは、参照ラベルの後にダッシュと同様のコンポーネント同士を区別する第２のラベルとを続けることによって、区別され得る。明細書において単に第１の参照ラベルだけが使用される場合、その説明は、第２の参照ラベルに関係なく、同じ第１の参照ラベルを有する同様のコンポーネントのうちのいずれのものにも適用可能である。
【００９９】
[0105]  ここに説明された情報および信号は、多様な異なる技術および技法のうちのいずれを使用しても表され得る。例えば、上の説明を通して言及された可能性のあるデータ、命令、コマンド、情報、信号、ビット、シンボルおよびチップは、電圧、電流、電磁波、磁場または磁性粒子、光場または光粒子、あるいはそれらのいかなる組合せによっても表され得る。
【０１００】
[0106]  本明細書における開示に関連して説明された様々な例示的なブロックおよびモジュールは、汎用プロセッサ、ＤＳＰ、ＡＳＩＣ、ＦＰＧＡまたは他のプログラマブル論理デバイス、ディスクリートゲートまたはトランジスタ論理、ディスクリートハードウェアコンポーネント、あるいはここに説明された機能を実施するように設計されたそれらの任意の組合せを用いてインプリメントまたは実施され得る。汎用プロセッサは、マイクロプロセッサであり得るが、別の方法では、プロセッサはいかなる従来のプロセッサ、コントローラ、マイクロコントローラ、またはステートマシンでもあり得る。プロセッサはまた、コンピューティングデバイスの組合せ（例えば、デジタルシグナルプロセッサ（ＤＳＰ）とマイクロプロセッサとの組合せ、複数のマイクロプロセッサ、ＤＳＰコアと連携した１つまたは複数のマイクロプロセッサ、または任意の他のそのような構成）としてインプリメントされ得る。
【０１０１】
[0107]  ここで説明された機能は、ハードウェア、プロセッサによって実行されるソフトウェア、ファームウェア、またはそれらの任意の組合せでインプリメントされ得る。プロセッサによって実行されるソフトウェアでインプリメントされる場合、それら機能は、コンピュータ読み取り可能な媒体上の１つまたは複数の命令またはコードとして記憶または送信され得る。他の例およびインプリメンテーションが、添付の特許請求の範囲および本開示の範囲内にある。例えば、ソフトウェアの性質に起因して、上述した機能は、プロセッサ、ハードウェア、ファームウェア、ハードワイヤリング、またはこれらのうちの任意のものの組合せによって実行されるソフトウェアを使用してインプリメントされることができる。機能をインプリメントする特徴はまた、機能の一部が異なる物理的ロケーションにおいてインプリメントされるように分配された状態を含む、様々な位置に物理的に配置され得る。また、請求項を含め、ここで使用される場合、項目のリスト（例えば、「のうちの少なくとも１つ」または「のうちの１つまたは複数」のような表現が付される項目のリスト）で使用される「または」は、例えば、Ａ、ＢまたはＣのうちの少なくとも１つというリストが、ＡまたはＢまたはＣまたはＡＢまたはＡＣまたはＢＣまたはＡＢＣ（すなわち、ＡおよびＢおよびＣ）を意味するように、包括的なリスト（inclusive list）を示す。
【０１０２】
[0108]  コンピュータ読み取り可能な媒体は、１つの場所から別の場所へのコンピュータプログラムの転送を容易にする任意の媒体を含む通信媒体と非一時的なコンピュータ記憶媒体との両方を含む。非一時的な記憶媒体は、汎用または専用コンピュータによってアクセスされることができる任意の利用可能な媒体であり得る。限定ではなく例として、非一時的なコンピュータ読み取り可能な媒体は、ＲＡＭ、ＲＯＭ、電気的に消去可能なプログラム可能な読み取り専用メモリ（ＥＥＰＲＯＭ（登録商標））、コンパクトディスク（ＣＤ）ＲＯＭまたは他の光ディスク記憶装置、磁気ディスク記憶装置または他の磁気記憶デバイス、あるいは命令またはデータ構造の形態で所望のプログラムコード手段を搬送または記憶するために使用されることができる、および、汎用または専用コンピュータあるいは汎用または専用プロセッサによってアクセスされることができる、いかなる他の非一時的な媒体も、備えることができる。また、いかなる接続も、コンピュータ読み取り可能な媒体と適切に称される。例えば、ソフトウェアが、同軸ケーブル、光ファイバーケーブル、ツイストペア、デジタル加入者回線（ＤＳＬ）、または赤外線、無線、およびマイクロ波のようなワイヤレス技術を使用して、ウェブサイト、サーバ、または他の遠隔ソースから送信される場合、同軸ケーブル、光ファイバーケーブル、ツイストペア、または赤外線、無線、およびマイクロ波のようなワイヤレス技術は、媒体の定義に含まれる。本明細書で使用される場合、ディスク（disk）およびディスク（disc）は、ＣＤ、レーザーディスク（登録商標）（disc）、光ディスク（disc）、デジタル多目的ディスク（disc）（ＤＶＤ）、フロッピー（登録商標）ディスク（disk）およびＢｌｕ−ｒａｙ（登録商標）ディスク（disc)を含み、ここで、ディスク（disks）は、通常磁気的にデータを再生し、一方ディスク（discs）は、レーザーを用いて光学的にデータを再生する。上記の組合せもまた、コンピュータ読み取り可能な媒体の範囲内に含まれる。
【０１０３】
[0109]  本明細書における説明は、当業者が本開示を製造するまたは使用することを可能にするために提供されている。本開示への様々な修正は、当業者にとって容易に明らかとなり、ここに定義された一般的な原理は、本開示の範囲から逸脱することなく、他のバリエーションにも適用され得る。したがって、本開示は、ここに説明された例および設計に限定されず、ここに開示された原理および新規な特徴と一致する最も広い範囲を与えられるべきである。
【図１】
2019522438.tif 000003
【図２】
2019522438.tif 000004
【図３】
2019522438.tif 000005
【図４】
2019522438.tif 000006
【図５】
2019522438.tif 000007
【図６】
2019522438.tif 000008
【図７】
2019522438.tif 000009
【図８】
2019522438.tif 000010
【図９】
2019522438.tif 000011
【手続補正書】
【提出日】平成31年3月26日(2019.3.26)
【手続補正１】
【補正対象書類名】特許請求の範囲
【補正対象項目名】全文
【補正方法】変更
【補正の内容】
【特許請求の範囲】
【請求項１】
ワイヤレス通信のための方法であって、
第１のクライアントデバイスが第１の基本サービスセット（ＢＳＳ）識別子（ＢＳＳＩＤ）に関連する第１のＢＳＳのチャネルを独占していることを決定することと、
前記第１のクライアントデバイスが前記第１のＢＳＳの前記チャネルを独占しているという前記決定に少なくとも部分的に基づいて、前記第１のＢＳＳに関してスロットル調整された第２のＢＳＳを作り出すことと、
前記第１のクライアントデバイスを、前記第２のＢＳＳにステアリングすることと、前記第２のＢＳＳが、前記第１のＢＳＳＩＤとは異なる第２のＢＳＳＩＤに関連する、
を備える、方法。
【請求項２】
前記第１のクライアントデバイスが前記第１のＢＳＳの前記チャネルを独占していることを決定することが、
前記第１のＢＳＳに接続された第２のクライアントデバイスのパフォーマンス低下を決定すること
を備える、請求項１に記載の方法。
【請求項３】
前記第１のＢＳＳに接続された前記第２のクライアントデバイスの前記パフォーマンス低下を決定することが、
前記第１のクライアントデバイスによる前記チャネルのエアタイム使用量を決定すること
を備える、請求項２に記載の方法。
【請求項４】
前記第１のクライアントデバイスについてのＥＤＣＡ（enhanced distributed channel access）据え置き期間を増加させること
をさらに備える、請求項１に記載の方法。
【請求項５】
前記第１のクライアントデバイスについての送信機会（ＴＸＯＰ）制限を減少させること
をさらに備える、請求項１に記載の方法。
【請求項６】
前記第１のクライアントデバイスへの送信可（ＣＴＳ）メッセージの送信を選択的に差し控えること
をさらに備える、請求項１に記載の方法。
【請求項７】
前記第１のクライアントデバイスから送信要求（ＲＴＳ）メッセージを受信することと、前記ＲＴＳメッセージが、要求された持続時間値を備える、
前記要求された持続時間値より小さい持続時間フィールド値を選択することと、前記選択することが、前記決定に少なくとも部分的に基づく、
送信可（ＣＴＳ）メッセージを前記第１のクライアントデバイスに送信することと、前記ＣＴＳメッセージが、前記選択された持続時間フィールド値を備える、
をさらに備える、請求項１に記載の方法。
【請求項８】
前記第１のクライアントデバイスについてのアップリンクＡ−ＭＰＤＵ（Aggregate MAC Protocol Data Unit）ポリシーを修正すること
をさらに備える、請求項１に記載の方法。
【請求項９】
前記第１のクライアントデバイスを前記第２のＢＳＳにステアリングした後に、前記第１のクライアントデバイスが前記第１のＢＳＳに再関連付けを行うことを防ぐこと
をさらに備える、請求項１に記載の方法。
【請求項１０】
媒体アクセス制御（ＭＡＣ）レイヤの上で、前記第１のクライアントデバイスからのアップリンクパケットをドロップすること
をさらに備える、請求項１に記載の方法。
【請求項１１】
前記第１のクライアントデバイスが前記第１のＢＳＳの前記チャネルを独占していることを決定することが、
前記第１のクライアントデバイスが前記第１のＢＳＳに関連するアップリンクチャネルに過負荷をかけていることを決定すること
を備える、請求項１に記載の方法。
【請求項１２】
前記第１のクライアントデバイスをステアリングすることが、
分離メッセージ、認証解除メッセージ、またはＢＳＳ遷移管理フレームを前記第１のクライアントデバイスに送信すること
を備える、請求項１に記載の方法。
【請求項１３】
前記第１のクライアントデバイスのステータスの変化に少なくとも部分的に基づいて、前記第２のＢＳＳを終了すること
をさらに備える、請求項１に記載の方法。
【請求項１４】
ステータスの前記変化が、前記第１のクライアントデバイスと前記第１のＢＳＳまたは前記第２のＢＳＳとの間の関連付けの変化、または前記第１のクライアントデバイスが前記第１のＢＳＳの前記チャネルを独占しているという前記決定の変化、または第２のクライアントデバイスと前記第１のＢＳＳとの間の関連付けの変化、のうちの少なくとも１つ、あるいはそれらの組合せを備える、請求項１３に記載の方法。
【請求項１５】
前記第２のＢＳＳの終了、または前記第１のクライアントデバイスが前記第１のＢＳＳの前記チャネルを独占しているという前記決定の変化、または第２のクライアントデバイスと前記第１のＢＳＳとの間の関連付けの変化、またはそれらの組合せに少なくとも部分的に基づいて、前記第１のクライアントデバイスを前記第１のＢＳＳにステアリングすること
をさらに備える、請求項１に記載の方法。
【請求項１６】
前記第１のＢＳＳおよび前記第２のＢＳＳのサービスセット識別子（ＳＳＩＤ）およびセキュリティ認証情報が同じである、請求項１に記載の方法。
【請求項１７】
ワイヤレス通信のための装置であって、
第１のクライアントデバイスが第１の基本サービスセット（ＢＳＳ）識別子（ＢＳＳＩＤ）に関連する第１のＢＳＳのチャネルを独占していることを決定するための手段と、
前記第１のクライアントデバイスが前記第１のＢＳＳの前記チャネルを独占しているという前記決定に少なくとも部分的に基づいて、前記第１のＢＳＳに関してスロットル調整された第２のＢＳＳを作り出すための手段と、
前記第１のクライアントデバイスを、前記第２のＢＳＳにステアリングするための手段と、前記第２のＢＳＳが、前記第１のＢＳＳＩＤとは異なる第２のＢＳＳＩＤに関連する、
を備える、装置。
【請求項１８】
前記第１のクライアントデバイスが前記第１のＢＳＳの前記チャネルを独占していることを決定するための前記手段が、
前記第１のＢＳＳに接続された第２のクライアントデバイスのパフォーマンス低下を決定するための手段
を備える、請求項１７に記載の装置。
【請求項１９】
前記第１のＢＳＳに接続された前記第２のクライアントデバイスの前記パフォーマンス低下を決定するための前記手段が、
前記第１のクライアントデバイスによる前記チャネルのエアタイム使用量を決定するための手段
を備える、請求項１８に記載の装置。
【請求項２０】
前記第１のクライアントデバイスについてのＥＤＣＡ（enhanced distributed channel access）据え置き期間を増加させるための手段
をさらに備える、請求項１７に記載の装置。
【請求項２１】
前記第１のクライアントデバイスについての送信機会（ＴＸＯＰ）制限を減少させるための手段
をさらに備える、請求項１７に記載の装置。
【請求項２２】
前記第１のクライアントデバイスへの送信可（ＣＴＳ）メッセージの送信を選択的に差し控えるための手段
をさらに備える、請求項１７に記載の装置。
【請求項２３】
前記第１のクライアントデバイスから送信要求（ＲＴＳ）メッセージを受信するための手段と、前記ＲＴＳメッセージが、要求された持続時間値を備える、
前記要求された持続時間値より小さい持続時間フィールド値を選択するための手段と、前記選択することが、前記決定に少なくとも部分的に基づく、
送信可（ＣＴＳ）メッセージを前記第１のクライアントデバイスに送信するための手段と、前記ＣＴＳメッセージが、前記選択された持続時間フィールド値を備える、
をさらに備える、請求項１７に記載の装置。
【請求項２４】
前記第１のクライアントデバイスについてのアップリンクＡ−ＭＰＤＵ（Aggregate MAC Protocol Data Unit）ポリシーを修正するための手段
をさらに備える、請求項１７に記載の装置。
【請求項２５】
前記第１のクライアントデバイスを前記第２のＢＳＳにステアリングした後に、前記第１のクライアントデバイスが前記第１のＢＳＳに再関連付けを行うことを防ぐための手段
をさらに備える、請求項１７に記載の装置。
【請求項２６】
媒体アクセス制御（ＭＡＣ）レイヤの上で、前記第１のクライアントデバイスからのアップリンクパケットをドロップするための手段
をさらに備える、請求項１７に記載の装置。
【請求項２７】
前記第１のクライアントデバイスが前記第１のＢＳＳの前記チャネルを独占していることを決定するための前記手段が、
前記第１のクライアントデバイスが前記第１のＢＳＳに関連するアップリンクチャネルに過負荷をかけていることを決定するための手段
を備える、請求項１７に記載の装置。
【請求項２８】
前記第１のクライアントデバイスをステアリングするための前記手段が、
分離メッセージ、認証解除メッセージ、またはＢＳＳ遷移管理フレームを前記第１のクライアントデバイスに送信するための手段
を備える、請求項１７に記載の装置。
【請求項２９】
前記第１のクライアントデバイスのステータスの変化に少なくとも部分的に基づいて、前記第２のＢＳＳを終了するための手段
をさらに備える、請求項１７に記載の装置。
【請求項３０】
ステータスの前記変化が、前記第１のクライアントデバイスと前記第１のＢＳＳまたは前記第２のＢＳＳとの間の関連付けの変化、または前記第１のクライアントデバイスが前記第１のＢＳＳの前記チャネルを独占しているという前記決定の変化、または第２のクライアントデバイスと前記第１のＢＳＳとの間の関連付けの変化、のうちの少なくとも１つ、あるいはそれらの組合せを備える、請求項２９に記載の装置。
【請求項３１】
前記第２のＢＳＳの終了、または前記第１のクライアントデバイスが前記第１のＢＳＳの前記チャネルを独占しているという前記決定の変化、または第２のクライアントデバイスと前記第１のＢＳＳとの間の関連付けの変化、またはそれらの組合せに少なくとも部分的に基づいて、前記第１のクライアントデバイスを前記第１のＢＳＳにステアリングするための手段
をさらに備える、請求項１７に記載の装置。
【請求項３２】
前記第１のＢＳＳおよび前記第２のＢＳＳのサービスセット識別子（ＳＳＩＤ）およびセキュリティ認証情報が同じである、請求項１７に記載の装置。
【請求項３３】
システムにおける、ワイヤレス通信のための装置であって、
プロセッサと、
前記プロセッサと電子通信しているメモリと、
前記メモリに記憶される命令と、
を備え、前記命令は、前記プロセッサによって実行されると、前記装置に、
第１のクライアントデバイスが第１の基本サービスセット（ＢＳＳ）識別子（ＢＳＳＩＤ）に関連する第１のＢＳＳのチャネルを独占していることを決定することと、
前記第１のクライアントデバイスが前記第１のＢＳＳの前記チャネルを独占しているという前記決定に少なくとも部分的に基づいて、前記第１のＢＳＳに関してスロットル調整された第２のＢＳＳを作り出すことと、
前記第１のクライアントデバイスを、前記第２のＢＳＳにステアリングすることと、前記第２のＢＳＳが、前記第１のＢＳＳＩＤとは異なる第２のＢＳＳＩＤに関連する、
を行わせるように動作可能である、装置。
【請求項３４】
前記命令は、前記プロセッサによって、
前記第１のＢＳＳに接続された第２のクライアントデバイスのパフォーマンス低下を決定すること
を行うようにさらに実行可能である、請求項３３に記載の装置。
【請求項３５】
前記命令は、前記プロセッサによって、
前記第１のクライアントデバイスによる前記チャネルのエアタイム使用量を決定すること
を行うようにさらに実行可能である、請求項３４に記載の装置。
【請求項３６】
前記命令は、前記プロセッサによって、
前記第１のクライアントデバイスについてのＥＤＣＡ（enhanced distributed channel access）据え置き期間を増加させること
を行うようにさらに実行可能である、請求項３３に記載の装置。
【請求項３７】
前記命令は、前記プロセッサによって、
前記第１のクライアントデバイスについての送信機会（ＴＸＯＰ）制限を減少させること
を行うようにさらに実行可能である、請求項３３に記載の装置。
【請求項３８】
前記命令は、前記プロセッサによって、
前記第１のクライアントデバイスへの送信可（ＣＴＳ）メッセージの送信を選択的に差し控えること
を行うようにさらに実行可能である、請求項３３に記載の装置。
【請求項３９】
前記命令は、前記プロセッサによって、
前記第１のクライアントデバイスから送信要求（ＲＴＳ）メッセージを受信することと、前記ＲＴＳメッセージが、要求された持続時間値を備える、
前記要求された持続時間値より小さい持続時間フィールド値を選択することと、前記選択することが、前記決定に少なくとも部分的に基づく、
送信可（ＣＴＳ）メッセージを前記第１のクライアントデバイスに送信することと、前記ＣＴＳメッセージが、前記選択された持続時間フィールド値を備える、
を行うようにさらに実行可能である、請求項３３に記載の装置。
【請求項４０】
前記命令は、前記プロセッサによって、
前記第１のクライアントデバイスについてのアップリンクＡ−ＭＰＤＵ（Aggregate MAC Protocol Data Unit）ポリシーを修正すること
を行うようにさらに実行可能である、請求項３３に記載の装置。
【請求項４１】
前記命令は、前記プロセッサによって、
前記第１のクライアントデバイスを前記第２のＢＳＳにステアリングした後に、前記第１のクライアントデバイスが前記第１のＢＳＳに再関連付けを行うことを防ぐこと
を行うようにさらに実行可能である、請求項３３に記載の装置。
【請求項４２】
前記命令は、前記プロセッサによって、
媒体アクセス制御（ＭＡＣ）レイヤの上で、前記第１のクライアントデバイスからのアップリンクパケットをドロップすること
を行うようにさらに実行可能である、請求項３３に記載の装置。
【請求項４３】
前記命令は、前記プロセッサによって、
前記第１のクライアントデバイスが前記第１のＢＳＳに関連するアップリンクチャネルに過負荷をかけていることを決定すること
を行うようにさらに実行可能である、請求項３３に記載の装置。
【請求項４４】
前記命令は、前記プロセッサによって、
分離メッセージ、認証解除メッセージ、またはＢＳＳ遷移管理フレームを前記第１のクライアントデバイスに送信すること
を行うようにさらに実行可能である、請求項３３に記載の装置。
【請求項４５】
前記命令は、前記プロセッサによって、
前記第１のクライアントデバイスのステータスの変化に少なくとも部分的に基づいて、前記第２のＢＳＳを終了すること
を行うようにさらに実行可能である、請求項３３に記載の装置。
【請求項４６】
ステータスの前記変化が、前記第１のクライアントデバイスと前記第１のＢＳＳまたは前記第２のＢＳＳとの間の関連付けの変化、または前記第１のクライアントデバイスが前記第１のＢＳＳの前記チャネルを独占しているという前記決定の変化、または第２のクライアントデバイスと前記第１のＢＳＳとの間の関連付けの変化、のうちの少なくとも１つ、あるいはそれらの組合せを備える、請求項４５に記載の装置。
【請求項４７】
前記命令は、前記プロセッサによって、
前記第２のＢＳＳの終了、または前記第１のクライアントデバイスが前記第１のＢＳＳの前記チャネルを独占しているという前記決定の変化、または第２のクライアントデバイスと前記第１のＢＳＳとの間の関連付けの変化、またはそれらの組合せに少なくとも部分的に基づいて、前記第１のクライアントデバイスを前記第１のＢＳＳにステアリングすること
を行うようにさらに実行可能である、請求項３３に記載の装置。
【請求項４８】
前記第１のＢＳＳおよび前記第２のＢＳＳのサービスセット識別子（ＳＳＩＤ）およびセキュリティ認証情報が同じである、請求項３３に記載の装置。
【請求項４９】
ワイヤレス通信のためのコードを記憶する非一時的なコンピュータ読み取り可能な媒体であって、前記コードは、プロセッサによって、
第１のクライアントデバイスが第１の基本サービスセット（ＢＳＳ）識別子（ＢＳＳＩＤ）に関連する第１のＢＳＳのチャネルを独占していることを決定することと、
前記第１のクライアントデバイスが前記第１のＢＳＳの前記チャネルを独占しているという前記決定に少なくとも部分的に基づいて、前記第１のＢＳＳに関してスロットル調整された第２のＢＳＳを作り出すことと、
前記第１のクライアントデバイスを、前記第２のＢＳＳにステアリングすることと、前記第２のＢＳＳが、前記第１のＢＳＳＩＤとは異なる第２のＢＳＳＩＤに関連する、
を行うように実行可能である命令を備える、非一時的なコンピュータ読み取り可能な媒体。
【請求項５０】
前記命令が、前記プロセッサによって、
前記第１のＢＳＳに接続された第２のクライアントデバイスのパフォーマンス低下を決定すること
を行うようにさらに実行可能である、請求項４９に記載の非一時的なコンピュータ読み取り可能な媒体。
【請求項５１】
前記命令が、前記プロセッサによって、
前記第１のクライアントデバイスによる前記チャネルのエアタイム使用量を決定すること
を行うようにさらに実行可能である、請求項５０に記載の非一時的なコンピュータ読み取り可能な媒体。
【請求項５２】
前記命令が、前記プロセッサによって、
前記第１のクライアントデバイスについてのＥＤＣＡ（enhanced distributed channel access）据え置き期間を増加させること
を行うようにさらに実行可能である、請求項４９に記載の非一時的なコンピュータ読み取り可能な媒体。
【請求項５３】
前記命令が、前記プロセッサによって、
前記第１のクライアントデバイスについての送信機会（ＴＸＯＰ）制限を減少させること
を行うようにさらに実行可能である、請求項４９に記載の非一時的なコンピュータ読み取り可能な媒体。
【請求項５４】
前記命令が、前記プロセッサによって、
前記第１のクライアントデバイスへの送信可（ＣＴＳ）メッセージの送信を選択的に差し控えること
を行うようにさらに実行可能である、請求項４９に記載の非一時的なコンピュータ読み取り可能な媒体。
【請求項５５】
前記命令が、前記プロセッサによって、
前記第１のクライアントデバイスから送信要求（ＲＴＳ）メッセージを受信することと、前記ＲＴＳメッセージが、要求された持続時間値を備える、
前記要求された持続時間値より小さい持続時間フィールド値を選択することと、前記選択することが、前記決定に少なくとも部分的に基づく、
送信可（ＣＴＳ）メッセージを前記第１のクライアントデバイスに送信することと、前記ＣＴＳメッセージが、前記選択された持続時間フィールド値を備える、
を行うようにさらに実行可能である、請求項４９に記載の非一時的なコンピュータ読み取り可能な媒体。
【請求項５６】
前記命令が、前記プロセッサによって、
前記第１のクライアントデバイスについてのアップリンクＡ−ＭＰＤＵ（Aggregate MAC Protocol Data Unit）ポリシーを修正すること
を行うようにさらに実行可能である、請求項４９に記載の非一時的なコンピュータ読み取り可能な媒体。
【請求項５７】
前記命令が、前記プロセッサによって、
前記第１のクライアントデバイスを前記第２のＢＳＳにステアリングした後に、前記第１のクライアントデバイスが前記第１のＢＳＳに再関連付けを行うことを防ぐこと
を行うようにさらに実行可能である、請求項４９に記載の非一時的なコンピュータ読み取り可能な媒体。
【請求項５８】
前記命令が、前記プロセッサによって、
媒体アクセス制御（ＭＡＣ）レイヤの上で、前記第１のクライアントデバイスからのアップリンクパケットをドロップすること
を行うようにさらに実行可能である、請求項４９に記載の非一時的なコンピュータ読み取り可能な媒体。
【請求項５９】
前記命令が、前記プロセッサによって、
前記第１のクライアントデバイスが前記第１のＢＳＳに関連するアップリンクチャネルに過負荷をかけていることを決定すること
を行うようにさらに実行可能である、請求項４９に記載の非一時的なコンピュータ読み取り可能な媒体。
【請求項６０】
前記命令が、前記プロセッサによって、
分離メッセージ、認証解除メッセージ、またはＢＳＳ遷移管理フレームを前記第１のクライアントデバイスに送信すること
を行うようにさらに実行可能である、請求項４９に記載の非一時的なコンピュータ読み取り可能な媒体。
【請求項６１】
前記命令が、前記プロセッサによって、
前記第１のクライアントデバイスのステータスの変化に少なくとも部分的に基づいて、前記第２のＢＳＳを終了すること
を行うようにさらに実行可能である、請求項４９に記載の非一時的なコンピュータ読み取り可能な媒体。
【請求項６２】
ステータスの前記変化が、前記第１のクライアントデバイスと前記第１のＢＳＳまたは前記第２のＢＳＳとの間の関連付けの変化、または前記第１のクライアントデバイスが前記第１のＢＳＳの前記チャネルを独占しているという前記決定の変化、または第２のクライアントデバイスと前記第１のＢＳＳとの間の関連付けの変化、のうちの少なくとも１つ、あるいはそれらの組合せを備える、請求項６１に記載の非一時的なコンピュータ読み取り可能な媒体。
【請求項６３】
前記命令が、前記プロセッサによって、
前記第２のＢＳＳの終了、または前記第１のクライアントデバイスが前記第１のＢＳＳの前記チャネルを独占しているという前記決定の変化、または第２のクライアントデバイスと前記第１のＢＳＳとの間の関連付けの変化、またはそれらの組合せに少なくとも部分的に基づいて、前記第１のクライアントデバイスを前記第１のＢＳＳにステアリングすること
を行うようにさらに実行可能である、請求項４９に記載の非一時的なコンピュータ読み取り可能な媒体。
【請求項６４】
前記第１のＢＳＳおよび前記第２のＢＳＳのサービスセット識別子（ＳＳＩＤ）およびセキュリティ認証情報が同じである、
請求項４９に記載の非一時的なコンピュータ読み取り可能な媒体。
【手続補正２】
【補正対象書類名】明細書
【補正対象項目名】０１０３
【補正方法】変更
【補正の内容】
【０１０３】
[0109]  本明細書における説明は、当業者が本開示を製造するまたは使用することを可能にするために提供されている。本開示への様々な修正は、当業者にとって容易に明らかとなり、ここに定義された一般的な原理は、本開示の範囲から逸脱することなく、他のバリエーションにも適用され得る。したがって、本開示は、ここに説明された例および設計に限定されず、ここに開示された原理および新規な特徴と一致する最も広い範囲を与えられるべきである。
以下に本願の出願当初の特許請求の範囲に記載された発明を付記する。
[Ｃ１]  ワイヤレス通信のための方法であって、
第１のクライアントデバイスが第１の基本サービスセット（ＢＳＳ）識別子（ＢＳＳＩＤ）に関連する第１のＢＳＳのチャネルを独占していることを決定することと、
前記決定に少なくとも部分的に基づいて、前記第１のクライアントデバイスを、前記第１のＢＳＳに関してスロットル調整された第２のＢＳＳにステアリングすることと、前記第２のＢＳＳが、前記第１のＢＳＳＩＤとは異なる第２のＢＳＳＩＤに関連する、
を備える、方法。
[Ｃ２]  前記第１のクライアントデバイスが前記第１のＢＳＳの前記チャネルを独占していることを決定することが、
前記第１のＢＳＳに接続された第２のクライアントデバイスのパフォーマンス低下を決定すること
を備える、Ｃ１に記載の方法。
[Ｃ３]  前記第１のＢＳＳに接続された前記第２のクライアントデバイスの前記パフォーマンス低下を決定することが、
前記第１のクライアントデバイスによる前記チャネルのエアタイム使用量を決定すること
を備える、Ｃ２に記載の方法。
[Ｃ４]  前記第１のクライアントデバイスについてのＥＤＣＡ（enhanced distributed channel access）据え置き期間を増加させること
をさらに備える、Ｃ１に記載の方法。
[Ｃ５]  前記第１のクライアントデバイスについての送信機会（ＴＸＯＰ）制限を減少させること
をさらに備える、Ｃ１に記載の方法。
[Ｃ６]  前記第１のクライアントデバイスへの送信可（ＣＴＳ）メッセージの送信を選択的に差し控えること
をさらに備える、Ｃ１に記載の方法。
[Ｃ７]  前記第１のクライアントデバイスから送信要求（ＲＴＳ）メッセージを受信することと、前記ＲＴＳメッセージが、要求された持続時間値を備える、
前記要求された持続時間値より小さい持続時間フィールド値を選択することと、前記選択することが、前記決定に少なくとも部分的に基づく、
送信可（ＣＴＳ）メッセージを前記第１のクライアントデバイスに送信することと、前記ＣＴＳメッセージが、前記選択された持続時間フィールド値を備える、
をさらに備える、Ｃ１に記載の方法。
[Ｃ８]  前記第１のクライアントデバイスについてのアップリンクＡ−ＭＰＤＵ（Aggregate MAC Protocol Data Unit）ポリシーを修正すること
をさらに備える、Ｃ１に記載の方法。
[Ｃ９]  前記第１のクライアントデバイスを前記第２のＢＳＳにステアリングした後に、前記第１のクライアントデバイスが前記第１のＢＳＳに再関連付けを行うことを防ぐこと
をさらに備える、Ｃ１に記載の方法。
[Ｃ１０]  媒体アクセス制御（ＭＡＣ）レイヤの上で、前記第１のクライアントデバイスからのアップリンクパケットをドロップすること
をさらに備える、Ｃ１に記載の方法。
[Ｃ１１]  前記第１のクライアントデバイスが前記第１のＢＳＳの前記チャネルを独占していることを決定することが、
前記第１のクライアントデバイスが前記第１のＢＳＳに関連するアップリンクチャネルに過負荷をかけていることを決定すること
を備える、Ｃ１に記載の方法。
[Ｃ１２]  前記第１のクライアントデバイスをステアリングすることが、
分離メッセージ、認証解除メッセージ、またはＢＳＳ遷移管理フレームを前記第１のクライアントデバイスに送信すること
を備える、Ｃ１に記載の方法。
[Ｃ１３]  前記第１のクライアントデバイスが前記第１のＢＳＳの前記チャネルを独占しているという前記決定に少なくとも部分的に基づいて、前記第２のＢＳＳを作り出すこと
をさらに備える、Ｃ１に記載の方法。
[Ｃ１４]  前記第１のクライアントデバイスのステータスの変化に少なくとも部分的に基づいて、前記第２のＢＳＳを終了すること
をさらに備える、Ｃ１に記載の方法。
[Ｃ１５]  ステータスの前記変化が、前記第１のクライアントデバイスと前記第１のＢＳＳまたは前記第２のＢＳＳとの間の関連付けの変化、または前記第１のクライアントデバイスが前記第１のＢＳＳの前記チャネルを独占しているという前記決定の変化、または第２のクライアントデバイスと前記第１のＢＳＳとの間の関連付けの変化、のうちの少なくとも１つ、あるいはそれらの組合せを備える、Ｃ１４に記載の方法。
[Ｃ１６]  前記第２のＢＳＳの終了、または前記第１のクライアントデバイスが前記第１のＢＳＳの前記チャネルを独占しているという前記決定の変化、または第２のクライアントデバイスと前記第１のＢＳＳとの間の関連付けの変化、またはそれらの組合せに少なくとも部分的に基づいて、前記第１のクライアントデバイスを前記第１のＢＳＳにステアリングすること
をさらに備える、Ｃ１に記載の方法。
[Ｃ１７]  前記第１のＢＳＳおよび前記第２のＢＳＳのサービスセット識別子（ＳＳＩＤ）およびセキュリティ認証情報が同じである、Ｃ１に記載の方法。
[Ｃ１８]  ワイヤレス通信のための装置であって、
第１のクライアントデバイスが第１の基本サービスセット（ＢＳＳ）識別子（ＢＳＳＩＤ）に関連する第１のＢＳＳのチャネルを独占していることを決定するための手段と、
前記決定に少なくとも部分的に基づいて、前記第１のクライアントデバイスを、前記第１のＢＳＳに関してスロットル調整された第２のＢＳＳにステアリングするための手段と、前記第２のＢＳＳが、前記第１のＢＳＳＩＤとは異なる第２のＢＳＳＩＤに関連する、
を備える、装置。
[Ｃ１９]  前記第１のクライアントデバイスが前記第１のＢＳＳの前記チャネルを独占していることを決定するための前記手段が、
前記第１のＢＳＳに接続された第２のクライアントデバイスのパフォーマンス低下を決定するための手段
を備える、Ｃ１８に記載の装置。
[Ｃ２０]  前記第１のＢＳＳに接続された前記第２のクライアントデバイスの前記パフォーマンス低下を決定するための前記手段が、
前記第１のクライアントデバイスによる前記チャネルのエアタイム使用量を決定するための手段
を備える、Ｃ１９に記載の装置。
[Ｃ２１]  前記第１のクライアントデバイスについてのＥＤＣＡ（enhanced distributed channel access）据え置き期間を増加させるための手段
をさらに備える、Ｃ１８に記載の装置。
[Ｃ２２]  前記第１のクライアントデバイスについての送信機会（ＴＸＯＰ）制限を減少させるための手段
をさらに備える、Ｃ１８に記載の装置。
[Ｃ２３]  前記第１のクライアントデバイスへの送信可（ＣＴＳ）メッセージの送信を選択的に差し控えるための手段
をさらに備える、Ｃ１８に記載の装置。
[Ｃ２４]  前記第１のクライアントデバイスから送信要求（ＲＴＳ）メッセージを受信するための手段と、前記ＲＴＳメッセージが、要求された持続時間値を備える、
前記要求された持続時間値より小さい持続時間フィールド値を選択するための手段と、前記選択することが、前記決定に少なくとも部分的に基づく、
送信可（ＣＴＳ）メッセージを前記第１のクライアントデバイスに送信するための手段と、前記ＣＴＳメッセージが、前記選択された持続時間フィールド値を備える、
をさらに備える、Ｃ１８に記載の装置。
[Ｃ２５]  前記第１のクライアントデバイスについてのアップリンクＡ−ＭＰＤＵ（Aggregate MAC Protocol Data Unit）ポリシーを修正するための手段
をさらに備える、Ｃ１８に記載の装置。
[Ｃ２６]  前記第１のクライアントデバイスを前記第２のＢＳＳにステアリングした後に、前記第１のクライアントデバイスが前記第１のＢＳＳに再関連付けを行うことを防ぐための手段
をさらに備える、Ｃ１８に記載の装置。
[Ｃ２７]  媒体アクセス制御（ＭＡＣ）レイヤの上で、前記第１のクライアントデバイスからのアップリンクパケットをドロップするための手段
をさらに備える、Ｃ１８に記載の装置。
[Ｃ２８]  前記第１のクライアントデバイスが前記第１のＢＳＳの前記チャネルを独占していることを決定するための前記手段が、
前記第１のクライアントデバイスが前記第１のＢＳＳに関連するアップリンクチャネルに過負荷をかけていることを決定するための手段
を備える、Ｃ１８に記載の装置。
[Ｃ２９]  前記第１のクライアントデバイスをステアリングするための前記手段が、
分離メッセージ、認証解除メッセージ、またはＢＳＳ遷移管理フレームを前記第１のクライアントデバイスに送信するための手段
を備える、Ｃ１８に記載の装置。
[Ｃ３０]  前記第１のクライアントデバイスが前記第１のＢＳＳの前記チャネルを独占しているという前記決定に少なくとも部分的に基づいて、前記第２のＢＳＳを作り出すための手段
をさらに備える、Ｃ１８に記載の装置。
[Ｃ３１]  前記第１のクライアントデバイスのステータスの変化に少なくとも部分的に基づいて、前記第２のＢＳＳを終了するための手段
をさらに備える、Ｃ１８に記載の装置。
[Ｃ３２]  ステータスの前記変化が、前記第１のクライアントデバイスと前記第１のＢＳＳまたは前記第２のＢＳＳとの間の関連付けの変化、または前記第１のクライアントデバイスが前記第１のＢＳＳの前記チャネルを独占しているという前記決定の変化、または第２のクライアントデバイスと前記第１のＢＳＳとの間の関連付けの変化、のうちの少なくとも１つ、あるいはそれらの組合せを備える、Ｃ３１に記載の装置。
[Ｃ３３]  前記第２のＢＳＳの終了、または前記第１のクライアントデバイスが前記第１のＢＳＳの前記チャネルを独占しているという前記決定の変化、または第２のクライアントデバイスと前記第１のＢＳＳとの間の関連付けの変化、またはそれらの組合せに少なくとも部分的に基づいて、前記第１のクライアントデバイスを前記第１のＢＳＳにステアリングするための手段
をさらに備える、Ｃ１８に記載の装置。
[Ｃ３４]  前記第１のＢＳＳおよび前記第２のＢＳＳのサービスセット識別子（ＳＳＩＤ）およびセキュリティ認証情報が同じである、Ｃ１８に記載の装置。
[Ｃ３５]  システムにおける、ワイヤレス通信のための装置であって、
プロセッサと、
前記プロセッサと電子通信しているメモリと、
前記メモリに記憶される命令と、
を備え、前記命令は、前記プロセッサによって実行されると、前記装置に、
第１のクライアントデバイスが第１の基本サービスセット（ＢＳＳ）識別子（ＢＳＳＩＤ）に関連する第１のＢＳＳのチャネルを独占していることを決定することと、
前記決定に少なくとも部分的に基づいて、前記第１のクライアントデバイスを、前記第１のＢＳＳに関してスロットル調整された第２のＢＳＳにステアリングすることと、前記第２のＢＳＳが、前記第１のＢＳＳＩＤとは異なる第２のＢＳＳＩＤに関連する、
を行わせるように動作可能である、装置。
[Ｃ３６]  前記命令は、前記プロセッサによって、
前記第１のＢＳＳに接続された第２のクライアントデバイスのパフォーマンス低下を決定すること
を行うようにさらに実行可能である、Ｃ３５に記載の装置。
[Ｃ３７]  前記命令は、前記プロセッサによって、
前記第１のクライアントデバイスによる前記チャネルのエアタイム使用量を決定すること
を行うようにさらに実行可能である、Ｃ３６に記載の装置。
[Ｃ３８]  前記命令は、前記プロセッサによって、
前記第１のクライアントデバイスについてのＥＤＣＡ（enhanced distributed channel access）据え置き期間を増加させること
を行うようにさらに実行可能である、Ｃ３５に記載の装置。
[Ｃ３９]  前記命令は、前記プロセッサによって、
前記第１のクライアントデバイスについての送信機会（ＴＸＯＰ）制限を減少させること
を行うようにさらに実行可能である、Ｃ３５に記載の装置。
[Ｃ４０]  前記命令は、前記プロセッサによって、
前記第１のクライアントデバイスへの送信可（ＣＴＳ）メッセージの送信を選択的に差し控えること
を行うようにさらに実行可能である、Ｃ３５に記載の装置。
[Ｃ４１]  前記命令は、前記プロセッサによって、
前記第１のクライアントデバイスから送信要求（ＲＴＳ）メッセージを受信することと、前記ＲＴＳメッセージが、要求された持続時間値を備える、
前記要求された持続時間値より小さい持続時間フィールド値を選択することと、前記選択することが、前記決定に少なくとも部分的に基づく、
送信可（ＣＴＳ）メッセージを前記第１のクライアントデバイスに送信することと、前記ＣＴＳメッセージが、前記選択された持続時間フィールド値を備える、
を行うようにさらに実行可能である、Ｃ３５に記載の装置。
[Ｃ４２]  前記命令は、前記プロセッサによって、
前記第１のクライアントデバイスについてのアップリンクＡ−ＭＰＤＵ（Aggregate MAC Protocol Data Unit）ポリシーを修正すること
を行うようにさらに実行可能である、Ｃ３５に記載の装置。
[Ｃ４３]  前記命令は、前記プロセッサによって、
前記第１のクライアントデバイスを前記第２のＢＳＳにステアリングした後に、前記第１のクライアントデバイスが前記第１のＢＳＳに再関連付けを行うことを防ぐこと
を行うようにさらに実行可能である、Ｃ３５に記載の装置。
[Ｃ４４]  前記命令は、前記プロセッサによって、
媒体アクセス制御（ＭＡＣ）レイヤの上で、前記第１のクライアントデバイスからのアップリンクパケットをドロップすること
を行うようにさらに実行可能である、Ｃ３５に記載の装置。
[Ｃ４５]  前記命令は、前記プロセッサによって、
前記第１のクライアントデバイスが前記第１のＢＳＳに関連するアップリンクチャネルに過負荷をかけていることを決定すること
を行うようにさらに実行可能である、Ｃ３５に記載の装置。
[Ｃ４６]  前記命令は、前記プロセッサによって、
分離メッセージ、認証解除メッセージ、またはＢＳＳ遷移管理フレームを前記第１のクライアントデバイスに送信すること
を行うようにさらに実行可能である、Ｃ３５に記載の装置。
[Ｃ４７]  前記命令は、前記プロセッサによって、
前記第１のクライアントデバイスが前記第１のＢＳＳの前記チャネルを独占しているという前記決定に少なくとも部分的に基づいて、前記第２のＢＳＳを作り出すこと
を行うようにさらに実行可能である、Ｃ３５に記載の装置。
[Ｃ４８]  前記命令は、前記プロセッサによって、
前記第１のクライアントデバイスのステータスの変化に少なくとも部分的に基づいて、前記第２のＢＳＳを終了すること
を行うようにさらに実行可能である、Ｃ３５に記載の装置。
[Ｃ４９]  ステータスの前記変化が、前記第１のクライアントデバイスと前記第１のＢＳＳまたは前記第２のＢＳＳとの間の関連付けの変化、または前記第１のクライアントデバイスが前記第１のＢＳＳの前記チャネルを独占しているという前記決定の変化、または第２のクライアントデバイスと前記第１のＢＳＳとの間の関連付けの変化、のうちの少なくとも１つ、あるいはそれらの組合せを備える、Ｃ４８に記載の装置。
[Ｃ５０]  前記命令は、前記プロセッサによって、
前記第２のＢＳＳの終了、または前記第１のクライアントデバイスが前記第１のＢＳＳの前記チャネルを独占しているという前記決定の変化、または第２のクライアントデバイスと前記第１のＢＳＳとの間の関連付けの変化、またはそれらの組合せに少なくとも部分的に基づいて、前記第１のクライアントデバイスを前記第１のＢＳＳにステアリングすること
を行うようにさらに実行可能である、Ｃ３５に記載の装置。
[Ｃ５１]  前記第１のＢＳＳおよび前記第２のＢＳＳのサービスセット識別子（ＳＳＩＤ）およびセキュリティ認証情報が同じである、Ｃ３５に記載の装置。
[Ｃ５２]  ワイヤレス通信のためのコードを記憶する非一時的なコンピュータ読み取り可能な媒体であって、前記コードは、プロセッサによって、
第１のクライアントデバイスが第１の基本サービスセット（ＢＳＳ）識別子（ＢＳＳＩＤ）に関連する第１のＢＳＳのチャネルを独占していることを決定することと、
前記決定に少なくとも部分的に基づいて、前記第１のクライアントデバイスを、前記第１のＢＳＳに関してスロットル調整された第２のＢＳＳにステアリングすることと、前記第２のＢＳＳが、前記第１のＢＳＳＩＤとは異なる第２のＢＳＳＩＤに関連する、
を行うように実行可能である命令を備える、非一時的なコンピュータ読み取り可能な媒体。
[Ｃ５３]  前記命令が、前記プロセッサによって、
前記第１のＢＳＳに接続された第２のクライアントデバイスのパフォーマンス低下を決定すること
を行うようにさらに実行可能である、Ｃ５２に記載の非一時的なコンピュータ読み取り可能な媒体。
[Ｃ５４]  前記命令が、前記プロセッサによって、
前記第１のクライアントデバイスによる前記チャネルのエアタイム使用量を決定すること
を行うようにさらに実行可能である、Ｃ５３に記載の非一時的なコンピュータ読み取り可能な媒体。
[Ｃ５５]  前記命令が、前記プロセッサによって、
前記第１のクライアントデバイスについてのＥＤＣＡ（enhanced distributed channel access）据え置き期間を増加させること
を行うようにさらに実行可能である、Ｃ５２に記載の非一時的なコンピュータ読み取り可能な媒体。
[Ｃ５６]  前記命令が、前記プロセッサによって、
前記第１のクライアントデバイスについての送信機会（ＴＸＯＰ）制限を減少させること
を行うようにさらに実行可能である、Ｃ５２に記載の非一時的なコンピュータ読み取り可能な媒体。
[Ｃ５７]  前記命令が、前記プロセッサによって、
前記第１のクライアントデバイスへの送信可（ＣＴＳ）メッセージの送信を選択的に差し控えること
を行うようにさらに実行可能である、Ｃ５２に記載の非一時的なコンピュータ読み取り可能な媒体。
[Ｃ５８]  前記命令が、前記プロセッサによって、
前記第１のクライアントデバイスから送信要求（ＲＴＳ）メッセージを受信することと、前記ＲＴＳメッセージが、要求された持続時間値を備える、
前記要求された持続時間値より小さい持続時間フィールド値を選択することと、前記選択することが、前記決定に少なくとも部分的に基づく、
送信可（ＣＴＳ）メッセージを前記第１のクライアントデバイスに送信することと、前記ＣＴＳメッセージが、前記選択された持続時間フィールド値を備える、
を行うようにさらに実行可能である、Ｃ５２に記載の非一時的なコンピュータ読み取り可能な媒体。
[Ｃ５９]  前記命令が、前記プロセッサによって、
前記第１のクライアントデバイスについてのアップリンクＡ−ＭＰＤＵ（Aggregate MAC Protocol Data Unit）ポリシーを修正すること
を行うようにさらに実行可能である、Ｃ５２に記載の非一時的なコンピュータ読み取り可能な媒体。
[Ｃ６０]  前記命令が、前記プロセッサによって、
前記第１のクライアントデバイスを前記第２のＢＳＳにステアリングした後に、前記第１のクライアントデバイスが前記第１のＢＳＳに再関連付けを行うことを防ぐこと
を行うようにさらに実行可能である、Ｃ５２に記載の非一時的なコンピュータ読み取り可能な媒体。
[Ｃ６１]  前記命令が、前記プロセッサによって、
媒体アクセス制御（ＭＡＣ）レイヤの上で、前記第１のクライアントデバイスからのアップリンクパケットをドロップすること
を行うようにさらに実行可能である、Ｃ５２に記載の非一時的なコンピュータ読み取り可能な媒体。
[Ｃ６２]  前記命令が、前記プロセッサによって、
前記第１のクライアントデバイスが前記第１のＢＳＳに関連するアップリンクチャネルに過負荷をかけていることを決定すること
を行うようにさらに実行可能である、Ｃ５２に記載の非一時的なコンピュータ読み取り可能な媒体。
[Ｃ６３]  前記命令が、前記プロセッサによって、
分離メッセージ、認証解除メッセージ、またはＢＳＳ遷移管理フレームを前記第１のクライアントデバイスに送信すること
を行うようにさらに実行可能である、Ｃ５２に記載の非一時的なコンピュータ読み取り可能な媒体。
[Ｃ６４]  前記命令が、前記プロセッサによって、
前記第１のクライアントデバイスが前記第１のＢＳＳの前記チャネルを独占しているという前記決定に少なくとも部分的に基づいて、前記第２のＢＳＳを作り出すこと
を行うようにさらに実行可能である、Ｃ５２に記載の非一時的なコンピュータ読み取り可能な媒体。
[Ｃ６５]  前記命令が、前記プロセッサによって、
前記第１のクライアントデバイスのステータスの変化に少なくとも部分的に基づいて、前記第２のＢＳＳを終了すること
を行うようにさらに実行可能である、Ｃ５２に記載の非一時的なコンピュータ読み取り可能な媒体。
[Ｃ６６]  ステータスの前記変化が、前記第１のクライアントデバイスと前記第１のＢＳＳまたは前記第２のＢＳＳとの間の関連付けの変化、または前記第１のクライアントデバイスが前記第１のＢＳＳの前記チャネルを独占しているという前記決定の変化、または第２のクライアントデバイスと前記第１のＢＳＳとの間の関連付けの変化、のうちの少なくとも１つ、あるいはそれらの組合せを備える、Ｃ６５に記載の非一時的なコンピュータ読み取り可能な媒体。
[Ｃ６７]  前記命令が、前記プロセッサによって、
前記第２のＢＳＳの終了、または前記第１のクライアントデバイスが前記第１のＢＳＳの前記チャネルを独占しているという前記決定の変化、または第２のクライアントデバイスと前記第１のＢＳＳとの間の関連付けの変化、またはそれらの組合せに少なくとも部分的に基づいて、前記第１のクライアントデバイスを前記第１のＢＳＳにステアリングすること
を行うようにさらに実行可能である、Ｃ５２に記載の非一時的なコンピュータ読み取り可能な媒体。
[Ｃ６８]  前記第１のＢＳＳおよび前記第２のＢＳＳのサービスセット識別子（ＳＳＩＤ）およびセキュリティ認証情報が同じである、
Ｃ５２に記載の非一時的なコンピュータ読み取り可能な媒体。
【国際調査報告】
2019522438.tif 000012
2019522438.tif 000013
2019522438.tif 000014